(57)【要約】  本発明はデバイス発見情報の受信方法、デバイス発見情報の送信方法及びユーザ機器を提供する。該デバイス発見情報の受信方法は、第１のユーザ機器が第２のユーザ機器から送信され、ユーザ機器識別情報とユーザ機器の属性情報の中の少なくとも一つを含むデバイス発見情報を受信することと、前記デバイス発見情報が所定の条件を満たす場合、前記第１のユーザ機器がデバイス直通発見及び／又はデバイス直通通信を実行することと、を含む。本発明によれば、既存技術においてデバイス発見情報に身分識別子のみを含ませてＤ２Ｄ通信の多様性の要求を満たすことのできない技術的課題を有効に解決し、Ｄ２Ｄ通信の有効性及び柔軟性を向上させる技術的効果を実現できる。
2016521483.tif 000002
【特許請求の範囲】
【請求項１】
第１のユーザ機器が、第２のユーザ機器から送信された、ユーザ機器識別情報とユーザ機器の属性情報の中の少なくとも一つを含むデバイス発見情報を受信することと、
前記デバイス発見情報が所定の条件を満たす場合、前記第１のユーザ機器がデバイス直通発見及び／又はデバイス直通通信を実行することと、を含むデバイス発見情報の受信方法。
【請求項２】
前記ユーザ機器識別情報が、前記第２のユーザ機器のデバイス直通発見識別子、及び前記第２のユーザ機器が発見しようとするユーザ機器のデバイス直通発見識別子の中の少なくとも一つを含む請求項１に記載の方法。
【請求項３】
前記ユーザ機器識別情報が、前記第２のユーザ機器のデバイス識別子、前記第２のデバイスが発見しようとするユーザ機器のデバイス識別子、ネットワークエンティティによって割り当てられたデバイス発見用識別子、及びシステム仕様に基づいて確定されたユーザ機器の識別子の中の少なくとも一つを含む請求項１に記載の方法。
【請求項４】
前記ネットワークエンティティが、基地局、移動管理エンティティ、デバイス直通サーバ、及びデバイス発見識別子の割り当てを行うネットワークエレメントの中の少なくとも一つを含むが、これらに限定されない請求項３に記載の方法。
【請求項５】
異なるユーザ機器のユーザ機器識別情報が異なる長さに設定される請求項３に記載の方法。
【請求項６】
前記ユーザ機器の属性情報が、前記第２のユーザ機器の属性情報、及び前記第２のユーザ機器が発見しようとするユーザ機器の属性情報の中の少なくとも一つを含む請求項１に記載の方法。
【請求項７】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含む請求項１に記載の方法。
【請求項８】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項７に記載の方法。
【請求項９】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、
前記ユーザ機器種別が、緊急救助ユーザ、普通ユーザ、及びシステム管理ユーザの中の少なくとも一つを含み、及び／又は、
前記デバイス直通ユーザ機器が属するデバイス直通グループの識別子にユーザ機器が属する一つ又は複数のデバイス直通グループの直通グループ情報を含み、及び／又は、
明示的な状態フィールド、デバイス直通発見識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、
明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、
前記デバイス直通アプリに関連する属性情報がアプリタイプ、アプリ識別子、及び特定のアプリ情報の中の少なくとも一つを含むが、これらに限定されない請求項８に記載の方法。
【請求項１０】
前記デバイス直通発見識別子と前記デバイス発見情報を乗せるリソース集合は、基地局により、エアインターフェースによる放送又は専用シグナルを介して前記第２のユーザ機器に送信されるものである請求項９に記載の方法。
【請求項１１】
前記デバイス発見情報を乗せるリソース集合が、時間、周波数ポイント、コードの任意の組み合わせを含む請求項９に記載の方法。
【請求項１２】
前記隣接基地局区別用の識別子が、ユーザ機器サービング基地局識別子、ユーザ機器サービングセル識別子、及びユーザ機器サービングセル物理識別子の中の少なくとも一つを含む請求項９に記載の方法。
【請求項１３】
前記隣接基地局区別用の識別子が、ネットワーク管理者により基地局ごとに配置された、隣接基地局同士を区別するための識別子、又は、基地局が自発的に自体の区別用識別子を選択してＸ２インターフェースを介して隣接セル内の基地局とのインタラクションを行うことで区別用識別子の唯一性を確保する識別子である請求項９に記載の方法。
【請求項１４】
前記第２のユーザ機器が前記デバイス発見情報を送信することは、
前記第２のユーザ機器が同期信号及び／又は放送チャネルによって前記デバイス発見情報を送信することを含む請求項１に記載の方法。
【請求項１５】
前記デバイス発見情報が所定の条件を満たす場合、前記第１のユーザ機器がデバイス直通発見及び／又はデバイス直通通信を実行することは、
前記デバイス発見情報における、前記第２のユーザが発見しようとするユーザ機器のデバイス直通発見識別子が前記第１のユーザ機器のデバイス直通発見識別子と同一である場合、前記第１のユーザ機器が前記第２のユーザ機器に発見応答メッセージを送信することと、
前記第２のユーザ機器が前記発見応答メッセージを受信することと、を含む請求項１に記載の方法。
【請求項１６】
前記第１のユーザ機器が前記第２のユーザ機器に発見応答メッセージを送信することは、
前記第１のユーザ機器が直接に前記第２のユーザ機器に前記発見応答メッセージを送信すること、又は、
前記第１のユーザ機器がネットワークエンティティを介して前記第２のユーザ機器に前記発見応答メッセージを送信することと、を含む請求項１５に記載の方法。
【請求項１７】
前記デバイス発見情報が所定の条件を満たす場合、前記第１のユーザ機器がデバイス直通発見及び／又はデバイス直通通信を実行することは、
前記デバイス発見情報に属性更新計数値を含む場合、前記第１のユーザ機器が前記第２のユーザ機器の情報と対応する属性更新計数値を受信したことがあるか否かを判断し、受信したことがない及び／又は受信した属性更新計数値が違うと、前記第１のユーザ機器が前記デバイス発見情報における属性更新計数値を保存し、他の属性情報を取得すること、及び／又は、
前記デバイス発見情報に前記第２のユーザ機器の中継能力情報を含む場合、前記第１のユーザ機器が前記第２のユーザ機器を保存し、前記第１のユーザ機器が中継ノードを探してシグナルとデータの転送を行う時に、前記第２のユーザ機器を中継ノード候補とすること、及び／又は、
前記デバイス発見情報に前記第２のユーザ機器のデバイス直通通信能力の有無情報の指示情報を含む場合、前記第１のユーザ機器が前記デバイス直通通信能力の有無情報の指示情報に基づいて前記第２のユーザ機器とのデバイス直通通信を発するか否かを判断すること、及び／又は、
前記デバイス発見情報に前記第２のユーザ機器のデバイス直通能力プロフィール情報を含む場合、前記第１のユーザ機器が前記第２のユーザ機器のデバイス直通能力プロフィール情報に基づいて、前記第２のユーザ機器とのデバイス直通通信接続確立を発する際に、通信パラメータを選択すること、及び／又は、
前記デバイス発見情報に前記第２のユーザ機器のタイプ情報を含む場合、前記第１のユーザ機器が前記第２のユーザ機器のタイプ情報に基づいて、高優先級のユーザ機器及び／又は緊急救助ユーザのユーザ機器に優先的に応答すること、及び／又は、
前記デバイス発見情報に前記第２のユーザ機器のグループ情報を含み、且つ前記第１のユーザ機器も前記グループ情報に示されたグループに属する場合、前記第１のユーザ機器が前記第２のユーザ機器のグループ情報に基づいてデバイス直通グループに基づくデバイスの発見を実行すること、及び／又は、
前記デバイス発見情報に前記第２のユーザ機器の状態情報を含む場合、前記第１のユーザ機器が前記第２のユーザ機器の状態に応じてデバイス直通発見及びデバイス直通通信プロセスを実行すること、及び／又は、
前記デバイス発見情報に前記第２のユーザ機器のカバレッジ情報を含む場合、前記第１のユーザ機器が前記第２のユーザ機器のカバレッジ情報に基づいて、前記第１のユーザ機器のサービング基地局を介して前記第２のユーザ機器とのデバイス発見及び／又はデバイス直通通信接続確立を完成すること、及び／又は、
前記デバイス発見情報に前記第２のユーザ機器のアプリ関連情報を含む場合、前記第１のユーザ機器が前記第２のユーザ機器のアプリ関連情報に示されたアプリが前記第１のユーザ機器が関心を持つアプリであるか否かを判断し、そうであると、前記第１のユーザ機器が予め設定された当該関心を持つアプリに対応する情報を提示することを、含む請求項１に記載の方法。
【請求項１８】
前記第１のユーザ機器が前記第２のユーザ機器の状態に応じてデバイス直通発見及びデバイス直通通信プロセスを実行することは、
前記第２のユーザ機器が空き状態である場合、前記第１のユーザ機器が前記第２のユーザ機器とのデバイス直通通信を発する際に、前記第２のユーザ機器がネットワークにアクセスして通信接続を確立するように、前記第２のユーザ機器を呼び出すこと、及び／又は、
前記第２のユーザ機器が接続状態である場合、前記第１のユーザ機器が前記第２のユーザ機器のサービング基地局を探して、探したサービング基地局を介してデバイス直通通信接続を確立することを含む請求項１７に記載の方法。
【請求項１９】
前記デバイス発見情報に前記第２のユーザ機器が発見しようとするユーザ機器の属性情報を含む場合、前記第１のユーザ機器がデバイス直通発見及び／又はデバイス直通通信を実行することは、
前記第１のユーザ機器が、自体の属性が前記デバイス発見情報中の、前記第２のユーザ機器が発見しようとするユーザ機器の属性情報を満たすか否かを判断し、満たすのであれば、前記第１のユーザ機器が直接に又はネットワークエンティティを介して、前記第２のユーザ機器に発見応答メッセージを送信することを含む請求項６に記載の方法。
【請求項２０】
前記発見応答メッセージに前記第１のユーザ機器のデバイス直通発見識別子及び／又は前記第２のユーザ機器のデバイス直通発見識別子を含ませる請求項１９に記載の方法。
【請求項２１】
第１のユーザ機器が、ユーザ機器識別情報及び／又はユーザ機器の属性情報を含むデバイス発見情報を送信することを含むデバイス発見情報の送信方法。
【請求項２２】
前記第１のユーザ機器が前記デバイス発見情報を送信することは、
前記第１のユーザ機器が同期信号及び／又は放送チャネルに前記デバイス発見情報を乗せて送信することを含む請求項２１に記載の方法。
【請求項２３】
前記ユーザ機器識別情報が、前記第１のユーザ機器のデバイス直通発見識別子、及び／又は前記第１のユーザ機器が発見しようとするユーザ機器のデバイス直通発見識別子を含む請求項２１に記載の方法。
【請求項２４】
前記ユーザ機器識別情報が、前記第１のユーザ機器のデバイス識別子、前記第１のユーザデバイスが発見しようとするユーザ機器のデバイス識別子、ネットワークエンティティによって割り当てられたデバイス発見用識別子、及びシステム仕様に基づいて確定されたユーザ機器の識別子の中の少なくとも一つを含む請求項２１に記載の方法。
【請求項２５】
前記ネットワークエンティティが、基地局、移動管理エンティティ、デバイス直通サーバ、及びデバイス発見識別子の割り当てを行うネットワークエレメントの中の少なくとも一つを含むが、これらに限定されない請求項２４に記載の方法。
【請求項２６】
異なるユーザ機器のユーザ機器識別情報が異なる長さに設定される請求項２４に記載の方法。
【請求項２７】
前記ユーザ機器の属性情報が、前記第１のユーザ機器の属性情報及び／又は前記第１のユーザ機器が発見しようとするユーザ機器の属性情報を含む請求項２１に記載の方法。
【請求項２８】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含む請求項２４に記載の方法。
【請求項２９】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項２８に記載の方法。
【請求項３０】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、
前記ユーザ機器種別が、緊急救助ユーザ、普通ユーザ、及びシステム管理ユーザの中の少なくとも一つを含み、及び／又は、
前記デバイス直通ユーザ機器が属するデバイス直通グループの識別子にユーザ機器が属する一つ又は複数のデバイス直通グループの直通グループ情報を含み、及び／又は、
明示的な状態フィールド、デバイス直通識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、
明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、
前記デバイス直通アプリに関連する属性情報がアプリタイプ、アプリ識別子、及び特定のアプリ情報の中の少なくとも一つを含むが、これらに限定されない請求項２９に記載の方法。
【請求項３１】
他のユーザ機器から送信され、ユーザ機器識別情報とユーザ機器の属性情報の中の少なくとも一つを含むデバイス発見情報を受信するように構成される受信ユニットと、
前記デバイス発見情報が所定の条件を満たす場合、デバイス直通発見及び／又はデバイス直通通信を実行するように構成される実行ユニットと、を備えるユーザ機器。
【請求項３２】
前記ユーザ機器の属性情報が、前記他のユーザ機器の属性情報、及び前記他のユーザ機器が発見しようとするユーザ機器の属性情報の中の少なくとも一つを含む請求項３１に記載のユーザ機器。
【請求項３３】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含む請求項３１に記載のユーザ機器。
【請求項３４】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項３３に記載のユーザ機器。
【請求項３５】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、
前記ユーザ機器種別が、緊急救助ユーザ、普通ユーザ、及びシステム管理ユーザの中の少なくとも一つを含み、及び／又は、
前記デバイス直通ユーザ機器が属するデバイス直通グループの識別子にユーザ機器が属する一つ又は複数のデバイス直通グループの直通グループ情報を含み、及び／又は、
明示的な状態フィールド、デバイス直通発見識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、
明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、
前記デバイス直通アプリに関連する属性情報がアプリタイプ、アプリ識別子、及び特定のアプリ情報の中の少なくとも一つを含むが、これらに限定されない請求項３４に記載のユーザ機器。
【請求項３６】
前記実行ユニットがさらに、前記デバイス発見情報における、前記他のユーザが発見しようとするユーザ機器のデバイス直通発見識別子が前記実行ユニットを備えるユーザ機器のデバイス直通発見識別子と同一である場合、発見応答メッセージを前記他のユーザ機器に送信するように構成される請求項３１に記載のユーザ機器。
【請求項３７】
前記実行ユニットが、
前記デバイス発見情報に属性更新計数値を含む場合、前記他のユーザ機器の情報と対応する属性更新計数値を受信したことがあるか否かを判断し、受信したことがない及び／又は受信した属性更新計数値が違うと、前記デバイス発見情報における属性更新計数値を保存して、他の属性情報を取得するように構成される第１の実行モジュール、及び／又は、
前記デバイス発見情報に前記他のユーザ機器の中継能力情報を含む場合、前記他のユーザ機器を保存し、前記実行ユニットがあるユーザ機器が中継ノードを探してシグナルとデータの転送を行う時、前記他のユーザ機器を中継ノード候補とするように構成される第２の実行モジュール、及び／又は、
前記デバイス発見情報に前記他のユーザ機器のデバイス直通通信能力の有無情報の指示情報を含む場合、前記実行ユニットがあるユーザ機器が前記デバイス直通通信能力の有無情報の指示情報に基づいて、前記他のユーザ機器とのデバイス直通通信を発するか否かを判断するように構成される第３の実行モジュール、及び／又は、
前記デバイス発見情報に前記他のユーザ機器のデバイス直通能力プロフィール情報を含む場合、前記他のユーザ機器のデバイス直通能力プロフィール情報に基づいて、前記他のユーザ機器とのデバイス直通通信接続確立を発する際に通信パラメータを選択するように構成される第４の実行モジュール、及び／又は、
前記デバイス発見情報に前記他のユーザ機器のタイプ情報を含む場合、前記他のユーザ機器のタイプ情報に基づいて高優先級のユーザ機器及び／又は緊急救助ユーザのユーザ機器に優先して応答するように構成される第５の実行モジュール、及び／又は、
前記デバイス発見情報に前記他のユーザ機器のグループ情報を含み、且つ前記実行ユニットがあるユーザ機器も前記グループ情報に示されたグループに属する場合、前記他のユーザ機器のグループ情報に基づいてデバイス直通グループに基づくデバイス発見を行うように構成される第６の実行モジュール、及び／又は、
前記デバイス発見情報に前記他のユーザ機器の状態情報を含む場合、前記他のユーザ機器の状態に応じて、デバイス直通発見及びデバイス直通通信プロセスを行うように構成される第７の実行モジュール、及び／又は、
前記デバイス発見情報に前記他のユーザ機器のカバレッジ情報を含む場合、前記他のユーザ機器のカバレッジ情報に基づいて、前記他のユーザ機器とは前記実行ユニットがあるユーザ機器のサービング基地局を介してデバイス発見及び／又はデバイス直通通信接続確立を完成するように構成される第８の実行モジュール、及び／又は、
前記デバイス発見情報に前記他のユーザ機器のアプリ関連情報を含む場合、前記他のユーザ機器のアプリ関連情報に示されたアプリが、前記実行ユニットがあるユーザ機器が関心を持つアプリであるか否かを判断し、そうであると、予め設定された該関心を持つアプリに対応する情報を提示するように構成される第９の実行モジュールと、を含む請求項３１に記載のユーザ機器。
【請求項３８】
ユーザ機器識別情報及び／又はユーザ機器の属性情報を含むデバイス発見情報を送信するように構成される送信ユニットを備えるユーザ機器。
【請求項３９】
前記送信ユニットがさらに、同期信号及び／又は放送チャネルに前記デバイス発見情報を乗せて送信するように構成される請求項３８に記載のユーザ機器。
【請求項４０】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含む請求項３８に記載のユーザ機器。
【請求項４１】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項４０に記載のユーザ機器。
【発明の詳細な説明】
【技術分野】
【０００１】
本発明は、通信分野に関し、具体的に、デバイス発見情報の受信方法、デバイス発見情報の送信方法及びユーザ機器に関する。
【背景技術】
【０００２】
無線マルチメディアサービスの発展に伴い、高データレートやユーザーエクスペリエンスに対する人々の需要がますます高まって、伝統的なセルラネットワークのシステム容量及びカバーに一層高い要求があった。一方、ソーシャルネットワーク、近距離でのデータ共有、ローカル広告等のアプリケーションの汎用によって、周囲の関心を持つ人や物事を把握しそれと通信すること（Ｐｒｏｘｉｍｉｔｙ  Ｓｅｒｖｉｃｅｓ：近接サービス）に対する需要もますます増加している。基地局を中心とする伝統的なセルラネットワークは高データレート及び近接サービスの支援方面で明らかな制約が存在しており、このような需要の背景下、今後の通信技術の発展方向を表すデバイスからデバイス（Ｄｅｖｉｃｅ―ｔｏ―Ｄｅｖｉｃｅ、Ｄ２Ｄと略称）の技術が生まれた。Ｄ２Ｄ技術の応用によって、セルラネットワークの負担の低減、ユーザ機器の電池消費の減少、データレートの向上を実現でき、ネットワークインフラの頑健性を改善し、上記した高データレートサービスや近接サービスの要求を満たすことができる。
【０００３】
Ｄ２Ｄ技術は許可した周波数帯域又は非許可の周波数帯域で動作することができ、Ｄ２Ｄ機能を支援する複数のユーザ機器（即ち、Ｄ２Ｄユーザ機器、Ｄ２Ｄ  Ｕｓｅｒ  Ｅｑｕｉｐｍｅｎｔ、Ｄ２Ｄ  ＵＥと略称）がネットワークインフラが存在又は存在しない状況で直接に発見及び／又は直接に通信することを許可する。Ｄ２Ｄの応用シナリオは以下のような３種類がある：
１）ＵＥ１とＵＥ２が、セルラネットワークのカバー領域でデータインタラクションを行い、ユーザプレーンデータはネットワークインフラを通過せず、具体的な実現フローは図１中のモード１の通りである。
２）貧弱カバー領域（Ｐｏｏｒ  Ｃｏｖｅｒａｇｅ）／カバー無し領域のＵＥ中継伝送において、具体的な実現フローは図１中のモード２の通りで、即ち、信号品質の悪いＵＥ４が付近のネットワークカバーされたＵＥ３を介してネットワークと通信することを許可することで、事業者がカバー面積を拡張し、システムの容量を増加するように援助する。
３）地震又は緊急状況において、セルラネットワークが正常に動作することができない場合、デバイス間の直接通信を許可し、図１中のモード３に示す通りで、ＵＥ５、ＵＥ６、ＵＥ７の間でコントロールプレーンとユーザプレーンはいずれもネットワークインフラを通過せずに１ホップ又はマルチホップのデータ通信を行う。
【０００４】
Ｄ２Ｄ技術は通常、Ｄ２Ｄ発見技術とＤ２Ｄ通信技術とを含み、ここで、Ｄ２Ｄ発見技術とは、二つ又は複数のＤ２Ｄユーザ機器の間の相互隣接（例えば、Ｄ２Ｄの直接通信を行える範囲内）を判断／確定する、又は第１のユーザ機器が第２のユーザ機器に隣接することを判断／確定する技術である。通常、Ｄ２Ｄユーザ機器間で発見信号／情報を送信又は受信することで相手を発見し、セルラネットワークカバーされた場合に、ネットワークはＤ２Ｄユーザ機器がＤ２Ｄ発見を行うように援助できる。Ｄ２Ｄ通信技術とは、Ｄ２Ｄユーザ機器の間で、一部又は全部の通信データがネットワークインフラを通過せずに直接に通信できる技術を指す。
【０００５】
現在、Ｄ２Ｄ発見方法は、主に、Ｄ２Ｄユーザ機器（第１のユーザ機器）が該発見情報を送信するＤ２Ｄユーザ機器を識別することのできる身分情報を送信し、発見側のＤ２Ｄユーザ機器（第２のユーザ機器）が対応するＤ２Ｄデバイスの身分情報を捜索し、受信したＤ２Ｄ身分情報を識別することで、Ｄ２Ｄユーザ機器の発見プロセスを終了する。しかし、Ｄ２Ｄ通信モードが多様であるので、発見メッセージとして身分情報だけではＤ２Ｄ通信の多様性の要求の満たすことができない。
【０００６】
上記プロセスの実現は簡単なものの、上述した各種のＤ２Ｄ通信モードに鑑みて、発見情報に身分情報のみを含んでは不十分である。
上述した問題について、未だに有効な解決案は提示されていない。
【発明の概要】
【発明が解決しようとする課題】
【０００７】
本発明の実施例は、少なくとも既存技術においてデバイス発見情報に身分識別子のみを含ませてＤ２Ｄ通信の多様性の要求を満たすことのできない技術問題を解決できるデバイス発見情報の受信方法、デバイス発見情報の送信方法及びユーザ機器を提供することをその目的とする。
【課題を解決するための手段】
【０００８】
本発明の実施例の一態様によると、第１のユーザ機器が、第２のユーザ機器から送信された、ユーザ機器識別（ｉｄｅｎｔｉｆｉｃａｔｉｏｎ）情報とユーザ機器の属性情報の中の少なくとも一つを含むデバイス発見情報を受信することと、前記デバイス発見情報が所定の条件を満たす場合、前記第１のユーザ機器がデバイス直通発見及び／又はデバイス直通通信を実行することと、を含むデバイス発見情報の受信方法を提供する。
【０００９】
前記ユーザ機器識別情報が、前記第２のユーザ機器のデバイス直通発見識別子（ＩＤ）、及び前記第２のユーザ機器が発見しようとするユーザ機器のデバイス直通発見識別子の中の少なくとも一つを含むことが好ましい。
【００１０】
前記ユーザ機器識別情報が、前記第２のユーザ機器のデバイス識別子、前記第２のデバイスが発見しようとするユーザ機器のデバイス識別子、ネットワークエンティティによって割り当てられたデバイス発見用識別子、及びシステム仕様に基づいて確定されたユーザ機器の識別子の中の少なくとも一つを含むことが好ましい。
【００１１】
前記ネットワークエンティティが、基地局、移動管理エンティティ、デバイス直通サーバ、及びデバイス発見識別子の割り当てを行うネットワークエレメントの中の少なくとも一つを含むが、これらに限定されないことが好ましい。
【００１２】
異なるユーザ機器のユーザ機器識別情報が異なる長さに設定されることが好ましい。
【００１３】
前記ユーザ機器の属性情報が、前記第２のユーザ機器の属性情報、及び前記第２のユーザ機器が発見しようとするユーザ機器の属性情報の中の少なくとも一つを含むことが好ましい。
【００１４】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含むことが好ましい。
【００１５】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、前記ユーザ機器タイプ情報が、ユーザ機器優先級とユーザ機器種別の中の少なくとも一つを含み、及び／又は、前記ユーザ機器グループ情報が、デバイス直通ユーザ機器が属するデバイス直通グループの識別子を含み、及び／又は、前記ユーザ機器状態情報が、接続状態及び／又は空き状態を含むユーザ機器の状態を示し、及び／又は、前記ユーザ機器カバレッジ情報が、基地局によるユーザ機器へのカバーの有無、ユーザ機器のサービング基地局、及びユーザ機器の発見領域の中の少なくとも一つを示し、及び／又は、前記アプリ関連情報がデバイス直通アプリに関連する属性情報を含むことが好ましい。
【００１６】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、前記ユーザ機器種別が、緊急救助ユーザ、普通ユーザ、及びシステム管理ユーザの中の少なくとも一つを含み、及び／又は、前記デバイス直通ユーザ機器が属するデバイス直通グループの識別子にユーザ機器が属する一つ又は複数のデバイス直通グループの直通グループ情報を含み、及び／又は、明示的な状態フィールド、デバイス直通発見識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、前記デバイス直通アプリに関連する属性情報がアプリタイプ、アプリ識別子、及び特定のアプリ情報の中の少なくとも一つを含むが、これらに限定されないことが好ましい。
【００１７】
前記デバイス直通発見識別子と前記デバイス発見情報を乗せるリソース集合は、基地局により、エアインターフェースによる放送又は専用シグナルを介して前記第２のユーザ機器に送信されるものであり、前記デバイス直通発見識別子と前記デバイス発見情報を乗せるリソース集合は予めシステムによって構成（配置）されたものであることが好ましい。
【００１８】
前記デバイス発見情報を乗せるリソース集合が、時間、周波数ポイント、コードの任意の組み合わせを含むことが好ましい。
【００１９】
前記隣接基地局区別用の識別子が、ユーザ機器サービング基地局識別子、ユーザ機器サービングセル識別子、及びユーザ機器サービングセル物理識別子の中の少なくとも一つを含むことが好ましい。
【００２０】
前記隣接基地局区別用の識別子が、ネットワーク管理者により基地局ごとに配置された、隣接基地局同士を区別するための識別子、又は、基地局が自発的に自体の区別用識別子を選択してＸ２インターフェースを介して隣接セル内の基地局とのインタラクションを行うことで区別用識別子の唯一性を確保する識別子であることが好ましい。
【００２１】
前記Ｘ２インターフェースに前記隣接基地局同士を区別するための識別子を乗せるメッセージが、Ｘ２確立メッセージ、及び隣接セル構成（配置）メッセージの中の少なくとも一つを含むことが好ましい。
【００２２】
第２のユーザ機器が前記デバイス発見情報を送信する前、前記方法は、前記第１のユーザ機器及び／又は前記第２のユーザ機器が自体が位置する基地局によりエアインターフェースによる放送又は専用シグナルを介して送信された隣接基地局区別用の識別子を受信することをさらに含むことが好ましい。
【００２３】
前記第２のユーザ機器が前記デバイス発見情報を送信することは、前記第１のユーザ機器が同期信号及び／又は放送チャネルによって前記デバイス発見情報を送信することを含むことが好ましい。
【００２４】
前記デバイス発見情報が所定の条件を満たす場合、前記第１のユーザ機器がデバイス直通発見及び／又はデバイス直通通信を実行することは、前記デバイス発見情報における、前記第２のユーザが発見しようとするユーザ機器のデバイス直通発見識別子が前記第１のユーザ機器のデバイス直通発見識別子と同一である場合、前記第１のユーザ機器が前記第２のユーザ機器に発見応答メッセージを送信することを含むが好ましい。
【００２５】
前記第１のユーザ機器が前記第２のユーザ機器に発見応答メッセージを送信することは、前記第１のユーザ機器が直接に前記第２のユーザ機器に前記発見応答メッセージを送信すること、又は、前記第１のユーザ機器がネットワークエンティティを介して前記第２のユーザ機器に前記発見応答メッセージを送信することと、を含むことが好ましい。
【００２６】
前記第１のユーザ機器が発見応答メッセージを前記第２のユーザ機器に送信した後、前記方法は、前記第２のユーザ機器が前記発見応答メッセージを受信することをさらに含むことが好ましい。
【００２７】
前記デバイス発見情報が所定の条件を満たす場合、前記第１のユーザ機器がデバイス直通発見及び／又はデバイス直通通信を実行することは、前記デバイス発見情報に属性更新計数値を含む場合、前記第１のユーザ機器が前記第１のユーザ機器の情報と対応する属性更新計数値を受信したことがあるか否かを判断し、受信したことがない及び／又は受信した属性更新計数値が違うと、前記第１のユーザ機器が前記デバイス発見情報における属性更新計数値を保存し、他の属性情報を取得すること、及び／又は、前記デバイス発見情報に前記第２のユーザ機器の中継能力情報を含む場合、前記第１のユーザ機器が前記第２のユーザ機器を保存し、前記第１のユーザ機器が中継ノードを探してシグナルとデータの転送を行う時に、前記第２のユーザ機器を中継ノード候補とすること、及び／又は、前記デバイス発見情報に前記第２のユーザ機器のデバイス直通通信能力の有無情報の指示情報を含む場合、前記第１のユーザ機器が前記デバイス直通通信能力の有無情報の指示情報に基づいて前記第２のユーザ機器とのデバイス直通通信を発するか否かを判断すること、及び／又は、前記デバイス発見情報に前記第２のユーザ機器のデバイス直通能力プロフィール情報を含む場合、前記第１のユーザ機器が前記第２のユーザ機器のデバイス直通能力プロフィール情報に基づいて、前記第２のユーザ機器とのデバイス直通通信接続確立を発する際に、通信パラメータを選択すること、及び／又は、前記デバイス発見情報に前記第２のユーザ機器のタイプ情報を含む場合、前記第１のユーザ機器が前記第２のユーザ機器のタイプ情報に基づいて、高優先級のユーザ機器及び／又は緊急救助ユーザのユーザ機器に優先的に応答すること、及び／又は、前記デバイス発見情報に前記第２のユーザ機器のグループ情報を含み、且つ前記第１のユーザ機器も前記グループ情報に示されたグループに属する場合、前記第１のユーザ機器が前記第２のユーザ機器のグループ情報に基づいてデバイス直通グループに基づくデバイスの発見を実行すること、及び／又は、前記デバイス発見情報に前記第２のユーザ機器の状態情報を含む場合、前記第１のユーザ機器が前記第２のユーザ機器の状態に応じてデバイス直通発見及びデバイス直通通信プロセスを実行すること、及び／又は、前記デバイス発見情報に前記第２のユーザ機器のカバレッジ情報を含む場合、前記第１のユーザ機器が前記第２のユーザ機器のカバレッジ情報に基づいて、前記第１のユーザ機器のサービング基地局を介して前記第２のユーザ機器とのデバイス発見及び／又はデバイス直通通信接続確立を完成すること、及び／又は、前記デバイス発見情報に前記第２のユーザ機器のアプリ関連情報を含む場合、前記第１のユーザ機器が前記第２のユーザ機器のアプリ関連情報に示されたアプリが前記第１のユーザ機器が関心を持つアプリであるか否かを判断し、そうであると、前記第１のユーザ機器が予め設定された当該関心を持つアプリに対応する情報を提示（ｐｒｅｓｅｎｔ）することを、含むことが好ましい。
【００２８】
前記第１のユーザ機器が前記第２のユーザ機器の状態に応じてデバイス直通発見及びデバイス直通通信プロセスを実行することは、前記第２のユーザ機器が空き状態である場合、前記第１のユーザ機器が前記第２のユーザ機器とのデバイス直通通信を発する際に、前記第２のユーザ機器がネットワークにアクセスして通信接続を確立するように、前記第２のユーザ機器を呼び出すこと、及び／又は、前記第２のユーザ機器が接続状態である場合、前記第１のユーザ機器が前記第２のユーザ機器のサービング基地局を探して、探したサービング基地局を介してデバイス直通通信接続を確立することを含むことが好ましい。
【００２９】
前記デバイス発見情報に前記第２のユーザ機器が発見しようとするユーザ機器の属性情報を含む場合、前記第１のユーザ機器がデバイス直通発見及び／又はデバイス直通通信を実行することは、前記第１のユーザ機器が、自体の属性が前記デバイス発見情報中の、前記第２のユーザ機器が発見しようとするユーザ機器の属性情報を満たすか否かを判断し、満たすのであれば、前記第１のユーザ機器が直接に又はネットワークエンティティを介して、前記第２のユーザ機器に発見応答メッセージを送信することを含むことが好ましい。
【００３０】
前記発見応答メッセージに前記第１のユーザ機器のデバイス直通発見識別子及び／又は前記第２のユーザ機器のデバイス直通発見識別子を含ませることが好ましい。
【００３１】
本発明の実施例の他の一態様によると、第１のユーザ機器が、ユーザ機器識別情報及び／又はユーザ機器の属性情報を含むデバイス発見情報を送信することを含むデバイス発見情報の送信方法を提供する。
【００３２】
前記第１のユーザ機器が前記デバイス発見情報を送信することは、前記第１のユーザ機器が同期信号及び／又は放送チャネルに前記デバイス発見情報を乗せて送信することを含むことが好ましい。
【００３３】
前記ユーザ機器識別情報が、前記第１のユーザ機器のデバイス直通発見識別子、及び／又は前記第１のユーザ機器が発見しようとするユーザ機器のデバイス直通発見識別子を含むことが好ましい。
【００３４】
前記ユーザ機器識別情報が、前記第１のユーザ機器のデバイス識別子、前記第１のユーザデバイスが発見しようとするユーザ機器のデバイス識別子、ネットワークエンティティによって割り当てられたデバイス発見用識別子、及びシステム仕様に基づいて確定されたユーザ機器の識別子の中の少なくとも一つを含むことが好ましい。
【００３５】
前記ネットワークエンティティが、基地局、移動管理エンティティ、デバイス直通サーバ、及びデバイス発見識別子の割り当てを行うネットワークエレメントの中の少なくとも一つを含むが、これらに限定されないことが好ましい。
【００３６】
異なるユーザ機器のユーザ機器識別情報が異なる長さに設定されることが好ましい。
【００３７】
前記ユーザ機器の属性情報が、前記第１のユーザ機器の属性情報及び／又は前記第１のユーザ機器が発見しようとするユーザ機器の属性情報を含むことが好ましい。
【００３８】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含むことが好ましい。
【００３９】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、前記ユーザ機器タイプ情報が、ユーザ機器優先級とユーザ機器種別の中の少なくとも一つを含み、及び／又は、前記ユーザ機器グループ情報が、デバイス直通ユーザ機器が属するデバイス直通グループの識別子を含み、及び／又は、前記ユーザ機器状態情報が、接続状態及び／又は空き状態を含むユーザ機器の状態を示し、及び／又は、前記ユーザ機器カバレッジ情報が、基地局によるユーザ機器へのカバーの有無、ユーザ機器のサービング基地局、及びユーザ機器の発見領域の中の少なくとも一つを示し、及び／又は、前記アプリ関連情報がデバイス直通アプリに関連する属性情報を含むことが好ましい。
【００４０】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、前記ユーザ機器種別が、緊急救助ユーザ、普通ユーザ、及びシステム管理ユーザの中の少なくとも一つを含み、及び／又は、前記デバイス直通ユーザ機器が属するデバイス直通グループの識別子にユーザ機器が属する一つ又は複数のデバイス直通グループの直通グループ情報を含み、及び／又は、明示的な状態フィールド、デバイス直通識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、前記デバイス直通アプリに関連する属性情報がアプリタイプ、アプリ識別子、及び特定のアプリ情報の中の少なくとも一つを含むが、これらに限定されないことが好ましい。
【００４１】
本発明の実施例の更なる他の一態様によると、他のユーザ機器から送信され、ユーザ機器識別情報とユーザ機器の属性情報の中の少なくとも一つを含むデバイス発見情報を受信するように構成される受信ユニットと、前記デバイス発見情報が所定の条件を満たす場合、デバイス直通発見及び／又はデバイス直通通信を実行するように構成される実行ユニットと、を備えるユーザ機器を提供する。
【００４２】
前記ユーザ機器の属性情報が、前記他のユーザ機器の属性情報、及び前記他のユーザ機器が発見しようとするユーザ機器の属性情報の中の少なくとも一つを含むことが好ましい。
【００４３】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含むことが好ましい。
【００４４】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、前記ユーザ機器タイプ情報が、ユーザ機器優先級とユーザ機器種別の中の少なくとも一つを含み、及び／又は、前記ユーザ機器グループ情報が、デバイス直通ユーザ機器が属するデバイス直通グループの識別子を含み、及び／又は、前記ユーザ機器状態情報が、接続状態及び／又は空き状態を含むユーザ機器の状態を示し、及び／又は、前記ユーザ機器カバレッジ情報が、基地局によるユーザ機器へのカバーの有無、ユーザ機器のサービング基地局、及びユーザ機器の発見領域の中の少なくとも一つを示し、及び／又は、前記アプリ関連情報がデバイス直通アプリに関連する属性情報を含むことが好ましい。
【００４５】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、前記ユーザ機器種別が、緊急救助ユーザ、普通ユーザ、及びシステム管理ユーザの中の少なくとも一つを含み、及び／又は、前記デバイス直通ユーザ機器が属するデバイス直通グループの識別子にユーザ機器が属する一つ又は複数のデバイス直通グループの直通グループ情報を含み、及び／又は、明示的な状態フィールド、デバイス直通発見識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、前記デバイス直通アプリに関連する属性情報がアプリタイプ、アプリ識別子、及び特定のアプリ情報の中の少なくとも一つを含むが、これらに限定されないことが好ましい。
【００４６】
前記実行ユニットがさらに、前記デバイス発見情報における、前記他のユーザが発見しようとするユーザ機器のデバイス直通発見識別子が前記実行ユニットを備えるユーザ機器のデバイス直通発見識別子と同一である場合、発見応答メッセージを前記他のユーザ機器に送信するように構成されることが好ましい。
【００４７】
前記実行ユニットが、前記デバイス発見情報に属性更新計数値を含む場合、前記実行ユニットがあるユーザ機器の情報と対応する属性更新計数値を受信したことがあるか否かを判断し、受信したことがない及び／又は受信した属性更新計数値が違うと、前記デバイス発見情報における属性更新計数値を保存して、他の属性情報を取得するように構成される第１の実行モジュール、及び／又は、前記デバイス発見情報に前記他のユーザ機器の中継能力情報を含む場合、前記他のユーザ機器を保存し、前記実行ユニットがあるユーザ機器が中継ノードを探してシグナルとデータの転送を行う時、前記他のユーザ機器を中継ノード候補とするように構成される第２の実行モジュール、及び／又は、前記デバイス発見情報に前記他のユーザ機器のデバイス直通通信能力の有無情報の指示情報を含む場合、前記実行ユニットがあるユーザ機器が前記デバイス直通通信能力の有無情報の指示情報に基づいて、前記他のユーザ機器とのデバイス直通通信を発するか否かを判断するように構成される第３の実行モジュール、及び／又は、前記デバイス発見情報に前記他のユーザ機器のデバイス直通能力プロフィール情報を含む場合、前記他のユーザ機器のデバイス直通能力プロフィール情報に基づいて、前記他のユーザ機器とのデバイス直通通信接続確立を発する際に通信パラメータを選択するように構成される第４の実行モジュール、及び／又は、前記デバイス発見情報に前記他のユーザ機器のタイプ情報を含む場合、前記他のユーザ機器のタイプ情報に基づいて高優先級のユーザ機器及び／又は緊急救助ユーザのユーザ機器に優先して応答するように構成される第５の実行モジュール、及び／又は、前記デバイス発見情報に前記他のユーザ機器のグループ情報を含み、且つ前記実行ユニットがあるユーザ機器も前記グループ情報に示されたグループに属する場合、前記他のユーザ機器のグループ情報に基づいてデバイス直通グループに基づくデバイス発見を行うように構成される第６の実行モジュール、及び／又は、前記デバイス発見情報に前記他のユーザ機器の状態情報を含む場合、前記他のユーザ機器の状態に応じて、デバイス直通発見及びデバイス直通通信プロセスを行うように構成される第７の実行モジュール、及び／又は、前記デバイス発見情報に前記他のユーザ機器のカバレッジ情報を含む場合、前記他のユーザ機器のカバレッジ情報に基づいて、前記他のユーザ機器とは前記実行ユニットがあるユーザ機器のサービング基地局を介してデバイス発見及び／又はデバイス直通通信接続確立を完成するように構成される第８の実行モジュール、及び／又は、前記デバイス発見情報に前記他のユーザ機器のアプリ関連情報を含む場合、前記他のユーザ機器のアプリ関連情報に示されたアプリが、前記実行ユニットがあるユーザ機器が関心を持つアプリであるか否かを判断し、そうであると、予め設定された該関心を持つアプリに対応する情報を提示するように構成される第９の実行モジュールと、を含むことが好ましい。
【００４８】
本発明の実施例の更なる他の一態様によると、ユーザ機器識別情報及び／又はユーザ機器の属性情報を含むデバイス発見情報を送信するように構成される送信ユニットを備えるユーザ機器を提供する。
【００４９】
前記送信ユニットがさらに、同期信号及び／又は放送チャネルに前記デバイス発見情報を乗せて送信するように構成されることが好ましい。
【００５０】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含むことが好ましい。
【００５１】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、前記ユーザ機器タイプ情報が、ユーザ機器優先級とユーザ機器種別の中の少なくとも一つを含み、及び／又は、前記ユーザ機器グループ情報が、デバイス直通ユーザ機器が属するデバイス直通グループの識別子を含み、及び／又は、前記ユーザ機器状態情報が、接続状態及び／又は空き状態を含むユーザ機器の状態を示し、及び／又は、前記ユーザ機器カバレッジ情報が、基地局によるユーザ機器へのカバーの有無、ユーザ機器のサービング基地局、及びユーザ機器の発見領域の中の少なくとも一つを示し、及び／又は、前記アプリ関連情報がデバイス直通アプリに関連する属性情報を含むことが好ましい。
【発明の効果】
【００５２】
本発明の実施例において、第２のユーザ機器から送信されるデバイス発見情報にユーザ機器の属性情報を含ませることによって、該デバイス発見情報を受信したユーザ機器がその中のユーザ機器の属性情報に基づいて、さらにデバイス直通発見及び／又はデバイス直通通信を行うか否かを確定し、上記方式によって、既存技術においてデバイス発見情報に身分識別子のみを含ませてＤ２Ｄ通信の多様性の要求を満たすことのできない技術問題を解決し、Ｄ２Ｄ通信の有効性及び柔軟性を向上させる技術的効果を実現できる。
【図面の簡単な説明】
【００５３】
ここで説明する図面は本発明を理解させるためのもので、本発明の一部を構成し、本発明における実施例及びその説明は本発明を解釈し、本発明を不当に限定するのではない。
【図１】既存技術に係るデバイス直通（Ｄ２Ｄ）システムの通信モードを示す図である。
【図２】本発明の実施例に係るデバイス発見情報の受信方法を示す好適なフローチャートである。
【図３】本発明の実施例に係るユーザ機器の直通システムの好適な構造を示すブロック図である。
【図４】本発明の実施例に係るデバイス直通発見情報の送信を示す図である。
【図５】本発明の実施例に係るデバイス直通発見情報の送信方法を示すフローチャートである。
【図６】本発明の実例１に係るデバイス直通発見情報の送信フォーマットを示す図である。
【図７】本発明の実例２に係るデバイス直通発見情報の送信フォーマットを示す図である。
【図８】本発明の実例３に係るデバイス直通発見情報の送信フォーマットを示す図である。
【図９】本発明の実例４に係るデバイス直通発見情報の送信フォーマットを示す図である。
【図１０】本発明の実例５に係るデバイス直通発見情報の送信フォーマットを示す図である。
【図１１】本発明の実例６に係るデバイス直通発見情報の送信フォーマットを示す図である。
【発明を実施するための形態】
【００５４】
以下、図面を参照しつつ実施例を結合して本発明を詳しく説明する。ここで、衝突しない限り、本願の実施例及び実施例中の特徴を互いに結合することができる。
【００５５】
本発明の実施例において好適なデバイス発見情報の受信方法を提供し、図２に示すように、該方法は以下のステップを含む：
第１のユーザ機器が第２のユーザ機器から送信されたデバイス発見情報を受信し（ステップＳ２０２）、ここで、前記デバイス発見情報はユーザ機器識別情報、及びユーザ機器の属性情報の中の少なくとも一つを含み、
前記デバイス発見情報が所定の条件を満たす場合、前記第１のユーザ機器がデバイス直通発見及び／又はデバイス直通通信を実行する（ステップＳ２０４）。
【００５６】
上記好適な実施形態において、第２のユーザ機器が送信するデバイス発見情報にユーザ機器の属性情報を含ませることによって、該デバイス発見情報を受信したユーザ機器がその中のユーザ機器の属性情報に基づいて、さらにデバイス直通発見及び／又はデバイス直通通信を行うか否かを確定し、上記方式によれば、既存技術においてデバイス発見情報に身分識別子のみを含みＤ２Ｄ通信の多様性の要求を満たすことのできない技術問題を有効に解決し、Ｄ２Ｄ通信の有効性及び柔軟性を向上させる技術的効果を実現できる。
上記第１のユーザ機器と第２のユーザ機器がいずれもＤ２Ｄ発見機能をオンにしていることが好ましい。
【００５７】
上記ステップＳ２０２の前に、第２のユーザ機器がデバイス発見情報を送信することをさらに含み、ここで、前記デバイス発見情報にユーザ機器識別情報及び／又はユーザ機器の属性情報を含む。
【００５８】
ユーザ機器を有効に発見するため、好適な実施形態において、デバイス発見情報の中のユーザ機器識別情報（即ち、ＵＥ識別子）が、前記第２のユーザ機器のデバイス直通発見識別子及び／又は前記第２のユーザ機器が発見しようとするユーザ機器のデバイス直通発見識別子を含むが、これらに限定されることはなく、つまり、デバイス発見情報に、他のユーザ機器が発見するように第２のユーザ機器のデバイス直通発見識別情報を含むだけでなく、他のユーザ機器が当該デバイス直通発見識別子によって自体が第２のユーザ機器が発見しようとするユーザ機器であるか否かを確定するように、デバイス発見情報に第２のユーザ機器が発見しようとするユーザ機器のデバイス直通発見識別子も含むことができる。
【００５９】
好ましくは、上記ユーザ機器の直通発見識別子はユーザ機器のデバイス識別子であってもよいし、ネットワークエンティティにより割り当てられたデバイス発見用識別子又はシステム仕様に規定された他のユーザ機器識別子であってもよい。なお、上述したユーザ機器のデバイス識別子の形態は本発明を説明するために挙げられたもので、他のユーザ機器識別子を用いることもできることは言うまでもなく、選択したユーザ機器識別子によってユーザ機器を唯一的に識別できればよい。上記ネットワークエンティティは基地局、移動管理エンティティ、デバイス直通サーバ、及びデバイス発見識別子の割り当てを行う他のネットワークエレメントの中の少なくとも一つを含むが、これらに限定されることはない。
【００６０】
デバイス発見情報中のユーザ機器識別子の柔軟性をさらに向上させるため、システムは異なるユーザ機器に異なる長さのユーザ機器識別情報を設定することを許可する。
【００６１】
上記ユーザ機器識別子は第２のユーザ機器が発見しようとするユーザ機器のデバイス直通発見識別子であってもよいし、第２のユーザ機器が自体が発見しようとするユーザ機器のデバイス直通発見識別子を送信する前に取得した、発見しようとするユーザ機器に対応するデバイス直通発見識別情報であってもよい。第２のユーザ機器はデバイス発見情報を送信する際、自体が発見しようとするユーザ機器のデバイス直通発見識別子と第２のユーザ機器のデバイス直通発見識別子とを同時に含むことが好ましい。
【００６２】
以下、デバイス発見情報中のユーザ機器の属性情報を説明する。具体的には、
ユーザ機器の属性情報は、前記第２のユーザ機器の属性情報及び／又は第２のユーザ機器が発見しようとするユーザ機器の属性情報を含む。即ち、その中の一つのみを含んでもよいし、二つを含んでもよく、需要に応じて選択する。
【００６３】
好ましくは、上記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含むが、これらに限定されることはない。以下、上述した幾つかのユーザ機器の属性情報を具体的に説明する。
１）属性更新計数値は、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示すが、これらに限定されることはない。
【００６４】
２）ユーザ機器能力情報は、ユーザ機器電力レベル、ユーザ機器の中継能力の有無、ユーザ機器のデバイス直通通信能力の有無、及びユーザ機器直通能力プロフィールの中の少なくとも一つを含むが、これらに限定されることはない。ここで、ユーザ機器電力レベルは前記ユーザ機器の現在残りの電力の電力レベルを示し、前記ユーザ機器の中継能力の有無はユーザ機器が他の直通ユーザ機器の制御シグナル及び／又はサービスデータを転送することができるか否かを示し、前記ユーザ機器のデバイス直通通信能力の有無はユーザ機器が他の直通ユーザ機器とデバイス直通通信を行うことが可能であるか否かを示し、前記ユーザ機器直通能力プロフィールはユーザ機器のデバイス直通における能力の集合を示す。
好ましくは、上記現在残りの電力の電力レベルが、制限無し、高級、中級、及び低級の中の一つを含み、ユーザ機器の中継能力の有無はユーザ機器の電力レベルによって黙示的に示され、前記デバイス直通における能力はデバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含むが、これらに限定されることはない。
【００６５】
３）ユーザ機器タイプ情報は、ユーザ機器優先級とユーザ機器種別の中の少なくとも一つを含むが、これらに限定されることはなく、
好ましくは、上記ユーザ機器種別が緊急救助ユーザ、普通ユーザ、及びシステム管理ユーザの中の少なくとも一つを含むが、これらに限定されない。
【００６６】
４）ユーザ機器グループ情報はデバイス直通ユーザ機器が属するデバイス直通グループの識別子を含む。デバイス直通ユーザ機器が属するデバイス直通グループの識別子に、ユーザ機器が属する一つ又は複数のデバイス直通グループの直通グループ情報を含ませることが好ましく、即ち、第２のユーザ機器が送信するデバイス発見情報に一回に一つ又は複数のデバイス直通グループ情報を含ませることができる。
【００６７】
５）ユーザ機器状態情報はユーザ機器の状態を示し、ここで、状態は接続状態及び／又は空き状態を含む。
好ましくは、明示的な状態フィールド（例えば、０で空き状態を表し、１で接続状態を表す）、デバイス直通発見識別子による黙示的な指示（例えば、デバイス直通発見識別子の幾つかの高ビットで、ＵＥがあるグループを示す）、前記発見情報の送信に用いられるリソースによる黙示的な指示の中の一つの方式でユーザ機器の状態を示すが、これに限定されることはない。ここで、状態の異なるユーザ機器にデバイス発見情報を乗せる異なるリソース集合を割り当てる。ユーザ機器の状態情報を明示的な状態フィールドによって示す。具体的には、状態の異なるユーザ機器に異なるデバイス直通発見識別子集合を割り当てることで、ユーザ機器の状態情報がデバイス発見情報に含まれたデバイス直通発見識別子によって黙示的に示されることができ、又は状態の異なるユーザ機器にデバイス発見情報を乗せる異なるリソース集合を割り当てることで、ユーザ機器の状態情報が発見情報の送信に用いられるリソースによって黙示的に示されることができる。
上記デバイス直通発見識別子と上記デバイス発見情報を乗せるリソース集合を、基地局がエアインターフェースによる放送又は専用シグナルを介して第２のユーザ機器に送信することが好ましく、ここで、デバイス直通発見識別子とデバイス発見情報を乗せるリソース集合はシステムにより予め配置（構成）されたものである。上記デバイス発見情報を乗せるリソース集合は時間、周波数ポイント、コードリソースの任意の組み合わせを含むが、これらに限定されることはない。
【００６８】
６）ユーザ機器カバレッジ情報は基地局によるユーザ機器へのカバーの有無、ユーザ機器のサービング基地局、及びユーザ機器の発見領域の中の少なくとも一つを示すが、これらに限定されることはない。
好ましくは、明示的なフィールドによる指示（例えば、０で基地局のカバー無しを表し、１で基地局のカバーありを表す）、ユーザ機器のサービング基地局指示（ｉｎｄｉｃａｔｉｏｎ）情報による指示（ｉｄｅｎｔｉｆｉｃａｔｉｏｎ）の中の一つの方式で前記基地局によるユーザ機器へのカバーの有無を示す。ここで、ユーザ機器のサービング基地局指示は隣接基地局区別用の識別子で、特別なユーザ機器のサービング基地局指示情報を割り当てることで指示することができる。ユーザ機器のサービング基地局指示情報は、ユーザ機器サービング基地局識別子、又はユーザ機器サービングセル識別子、又はユーザ機器サービングセル物理識別子、又は隣接する基地局を区別できる他の識別子を含むが、これらに限定されることはない。
好適な実施形態において、上記隣接基地局区別用の識別子はネットワーク管理者により本基地局と隣接基地局に配置された、隣接基地局同士を区別するための識別子であって、又は、本基地局が自発的に自体の区別用識別子を選択してＸ２インターフェースを介して隣接セル内の基地局とインタラクションを行うことで区別用識別子の唯一性を確保する識別子である。基地局は隣接する基地局の区別用識別子を取得した後、エアインターフェースによる放送又は専用シグナルを介して、それを対応するユーザ機器に送信することができる。即ち、前記第１のユーザ機器及び／又は前記第２のユーザ機器が、自体が位置する基地局によってエアインターフェースによる放送又は専用シグナルを介して送信された隣接基地局区別用の識別子を受信する。ここで、Ｘ２インターフェースに基地局区別用識別子を乗せるメッセージは、Ｘ２確立メッセージ、隣接セル構成（配置）メッセージ、又は基地局区別用識別子を乗せることのできる他のＸ２メッセージの中の少なくとも一つを含むが、これらに限定されることはない。
【００６９】
７）アプリ関連情報はデバイス直通アプリに関連する属性情報を含み、好ましくは、デバイス直通アプリに関連する属性情報がアプリタイプ、アプリ識別子、及び特定のアプリ情報の中の少なくとも一つを含むが、これらに限定されることはない。
上記ステップＳ２０２において、第１のユーザ機器が受信した、第２のユーザ機器からの発見情報は第２のユーザ機器により同期信号及び／又は放送チャネルに乗せられて送信されたものであることが好ましい。
【００７０】
以下、上記ステップＳ２０４、即ち、第１のユーザ機器がデバイス発見情報を受信した後のプロセスを具体的に説明する。
第１のユーザ機器が受信したデバイス発見情報に含まれる、第２のユーザが発見しようとするユーザ機器のデバイス直通発見識別子に第１のユーザ機器のデバイス直通発見識別子が含まれている場合、又は第２のユーザが発見しようとするユーザ機器が一つのみある場合、デバイス発見情報に含まれる、第２のユーザが発見しようとするユーザ機器のデバイス直通発見識別子が第１のユーザ機器のデバイス直通発見識別子と同一であれば、第１のユーザ機器が発見応答メッセージを第２のユーザ機器に送信する。好ましくは、第１のユーザ機器が直接に発見応答メッセージを第２のユーザ機器に送信してもよいし、ネットワークエンティティを介して発見応答メッセージを第２のユーザ機器に送信してもよい。
【００７１】
第１のユーザ機器が発見応答メッセージを第２のユーザ機器に送信した後、上記方法は、第２のユーザ機器が発見応答メッセージを受信することをさらに含むことが好ましい。好適な実施形態において、第２のユーザ機器が発見応答メッセージを受信した後に、第１のユーザ機器との間のデバイス直通通信を発することができるが、両方間のデバイス直通通信を発せずに通知することもできる。
【００７２】
上記ステップＳ２０４において、デバイス発見情報中の異なるメッセージタイプに対して以下のような幾つかの処理策略がある：
１）デバイス発見情報に属性更新計数値を含む場合、第１のユーザ機器は該デバイス発見情報を送信したユーザ機器の情報と対応する属性更新計数値を受信したことがあるか否かを判断し、受信したことがない及び／又は受信した属性更新計数値が違うと、第１のユーザ機器は前記デバイス発見情報における属性更新計数値を保存し、他の属性情報を取得し、そうでないと、第１のユーザ機器は他の属性情報を取得しない。
２）デバイス発見情報に第２のユーザ機器の中継能力情報を含む場合、第１のユーザ機器は該第２のユーザ機器を保存し、第１のユーザ機器が中継ノードを探してシグナルとデータの転送を行う際に、前記第２のユーザ機器を中継ノード候補とする。
３）デバイス発見情報に第２のユーザ機器のデバイス直通通信能力の有無情報の指示情報を含む場合、第１のユーザ機器はデバイス直通通信能力の有無情報の指示情報に基づいて、第２のユーザ機器とのデバイス直通通信を発するか否かを判断する。
４）デバイス発見情報に第２のユーザ機器のデバイス直通能力プロフィール情報を含む場合、第１のユーザ機器は第２のユーザ機器のデバイス直通能力プロフィール情報に基づいて、第２のユーザ機器とのデバイス直通通信接続確立を発する際に、通信パラメータを選択する。
５）デバイス発見情報に第２のユーザ機器のタイプ情報を含む場合、第１のユーザ機器は第２のユーザ機器のタイプ情報に基づいて、高優先級のユーザ機器及び／又は緊急救助ユーザのユーザ機器に優先的に応答する。
６）デバイス発見情報に第２のユーザ機器のグループ情報を含み、且つ、第１のユーザ機器も該グループ情報に示されたグループに属する場合、第１のユーザ機器は第２のユーザ機器のグループ情報に基づいてデバイス直通グループに基づくデバイス発見を実行する。
７）デバイス発見情報に第２のユーザ機器の状態情報を含む場合、第１のユーザ機器は第２のユーザ機器の状態に応じて、デバイス直通発見及びデバイス直通通信プロセスを実行する。
好ましくは、第２のユーザ機器が空き状態である場合、第１のユーザ機器は第２のユーザ機器とのデバイス直通通信を発する際に、第２のユーザ機器がネットワークにアクセスして通信接続を確立するように、第２のユーザ機器を呼び出し、第２のユーザ機器が接続状態である場合、第１のユーザ機器は第２のユーザ機器のサービング基地局を探し、探したサービング基地局を介してデバイス直通通信接続を確立する。
８）デバイス発見情報に第２のユーザ機器のカバレッジ情報を含む場合、第１のユーザ機器は第２のユーザ機器のカバレッジ情報に基づいて、第１のユーザ機器のサービング基地局を介して第２のユーザ機器とデバイス発見及び／又はデバイス直通通信接続確立を完成する。
９）デバイス発見情報に第２のユーザ機器のアプリ関連情報を含む場合、第１のユーザ機器は第２のユーザ機器のアプリ関連情報に示されたアプリが第１のユーザ機器が関心を持つアプリであるか否かを判断し、そうであると、第１のユーザ機器は予め設定された該関心を持つアプリに対応する情報を提示する。
【００７３】
好適な実施形態において、好ましくは、第１のユーザ機器が第２のユーザ機器の状態に応じてデバイス直通発見及びデバイス直通通信プロセスを実行することは、
上記ステップＳ２０４において、第１のユーザ機器が、自体の属性がデバイス発見情報中の、第２のユーザ機器が発見しようとするユーザ機器の属性情報を満たすか否かを判断し、満たすと、第１のユーザ機器が直接に又はネットワークエンティティを介して発見応答メッセージを第２のユーザ機器に送信することを含む。好ましくは、第１のユーザ機器から第２のユーザ機器に送信される発見応答メッセージに第１のユーザ機器のデバイス直通発見識別子及び／又は前記第２のユーザ機器のデバイス直通発見識別子を同時に含ませることができる。
【００７４】
本実施例においてさらに複数の第１のユーザ機器と一つの第２のユーザ機器とを備える直通通信システムを提供し、該装置は上記実施例及び好適な実施形態を実現するためのもので、既に説明した部分の説明は省略する。以下の説明で使用される用語「ユニット」又は「モジュール」は予定の機能を実現できるソフトウェア及び／又はハードウェアの組み合わせである。以下の実施例で説明する装置をソフトウェアで実現することが好ましいが、ハードウェア又はソフトウェアとハードウェアの組み合わせによって実現することも可能である。図３は本発明の実施例に係る直通通信システムの好適な構造を示すブロック図で、図３に示すように、第１のユーザ機器は受信ユニット３０２と、実行ユニット３０４とを含み、第２のユーザ機器は送信ユニット３０６を含む。なお、第１のユーザ機器と第２のユーザ機器は同等なユーザ機器で、第１のユーザ機器の中の各機能ユニットを第２のユーザ機器も具備していて、同様に、第２のユーザ機器の中の各機能ユニットを第１のユーザ機器も具備している。以下、該構造を詳しく説明する。
送信ユニット３０６は、第１のユーザ機器にデバイス発見情報を送信するように構成され、ここで、前記デバイス発見情報はユーザ機器識別情報、及びユーザ機器の属性情報の中の少なくとも一つを含み、
受信ユニット３０２は、送信ユニット３０６にカップリングされ、第２のユーザ機器から送信されたデバイス発見情報を受信するように構成され、ここで、前記デバイス発見情報はユーザ機器識別情報、及びユーザ機器の属性情報の中の少なくとも一つを含み、
実行ユニット３０４は、受信ユニット３０２にカップリングされ、前記デバイス発見情報が所定の条件を満たす場合、デバイス直通発見及び／又はデバイス直通通信を実行するように構成される。
【００７５】
デバイス発見情報に対する限定は上述した方法の説明におけるメッセージに対する限定と同一であるので、ここでは説明を省略する。
好適な実施形態において、上記実行ユニット３０４はさらに、デバイス発見情報における、第２のユーザ機器が発見しようとするユーザ機器のデバイス直通発見識別子が第１のユーザ機器のデバイス直通発見識別子と同一である場合、発見応答メッセージを第２のユーザ機器に送信する。上記第２のユーザ機器が該発見応答メッセージを受信し、好ましくは、第２のユーザ機器は該発見応答メッセージに応じて、第１のユーザ機器との直通通信を発する。
【００７６】
好適な実施形態において、上記実行ユニットは以下のような幾つかの実行モジュールを含むことができる：
１）第１の実行モジュールは、デバイス発見情報に属性更新計数値を含む場合、該デバイス発見情報を送信したユーザ機器の情報と対応する属性更新計数値を受信したことがあるか否かを判断し、受信したことがない及び／又は受信した属性更新計数値が異なると、前記デバイス発見情報における属性更新計数値を保存して、他の属性情報を取得し、そうでないと、他の属性情報を取得しないように構成される。
２）第２の実行モジュールは、デバイス発見情報に第２のユーザ機器の中継能力情報を含む場合、該第２のユーザ機器を保存し、中継ノードを探してシグナルとデータの転送を行う際に、前記第２のユーザ機器を中継ノード候補とするように構成される。
３）第３の実行モジュールは、デバイス発見情報に第２のユーザ機器のデバイス直通通信能力の有無情報の指示情報を含む場合、デバイス直通通信能力の有無情報の指示情報に基づいて、第２のユーザ機器とのデバイス直通通信を発するか否かを判断するように構成される。
４）第４の実行モジュールは、デバイス発見情報に第２のユーザ機器のデバイス直通能力プロフィール情報を含む場合、第２のユーザ機器のデバイス直通能力プロフィール情報に基づいて、第２のユーザ機器とのデバイス直通通信接続確立を発する際に通信パラメータを選択するように構成される。
５）第５の実行モジュールは、デバイス発見情報に第２のユーザ機器のタイプ情報を含む場合、第２のユーザ機器のタイプ情報に基づいて、高優先級のユーザ機器及び／又は緊急救助ユーザのユーザ機器に優先的に応答するように構成される。
６）第６の実行モジュールは、デバイス発見情報に第２のユーザ機器のグループ情報を含み、且つ第１のユーザ機器も該グループ情報に示されたグループに属する場合、第２のユーザ機器のグループ情報に基づいて、デバイス直通グループに基づくデバイス発見を実行するように構成される。
７）第７の実行モジュールは、デバイス発見情報に第２のユーザ機器の状態情報を含む場合、第２のユーザ機器の状態に応じて、デバイス直通発見及びデバイス直通通信プロセスを実行するように構成される。
第２のユーザ機器が空き状態である場合、第１のユーザ機器は第２のユーザ機器とのデバイス直通通信を発する時に、第２のユーザ機器がネットワークにアクセスして通信接続を確立するように、第２のユーザ機器を呼び出し、第２のユーザ機器が接続状態である場合、第１のユーザ機器は第２のユーザ機器のサービング基地局を探して、探したサービング基地局を介してデバイス直通通信接続を確立することが好ましい。
８）第８の実行モジュールは、デバイス発見情報に第２のユーザ機器のカバレッジ情報を含む場合、第２のユーザ機器のカバレッジ情報に基づいて、第１のユーザ機器のサービング基地局を介して、第２のユーザ機器とデバイス発見及び／又はデバイス直通通信接続確立を完成するように構成される。
９）第９の実行モジュールは、デバイス発見情報に第２のユーザ機器のアプリ関連情報を含む場合、第２のユーザ機器のアプリ関連情報に示されたアプリが第１のユーザ機器が関心を持つアプリであるか否かを判断し、そうであると、第１のユーザ機器は予め設定された該関心を持つアプリに対応する情報を提示するように構成される。
【００７７】
Ｄ２ＤデバイスはＤ２Ｄ通信を行う前、隣接する他のＤ２Ｄデバイスの発見を完成しなければならない。図４に示すように、Ｄ２Ｄユーザ機器間は、発見情報を送信又は受信することで相手を発見し、発見情報（即ち、上記デバイス発見情報）に、該発見情報を送信するＤ２Ｄユーザ機器を識別することのできる身分情報及び属性情報が含まれる。具体的に、図５に示すように、Ｄ２ＤデバイスＵＥ１がＵＥ識別子及びＵＥ属性を持つデバイス発見情報を送信し、隣接するＤ２Ｄデバイスがデバイス発見情報を捜索し、受信したデバイス発見情報を解析してＤ２Ｄ  ＵＥの身分、能力、状態、タイプ、カバー、グループ、アプリ状況を識別し、上記情報に基づいてＤ２Ｄデバイスの発見プロセス及び可能なＤ２Ｄ通信を完成する。
【００７８】
図１に示す３種類のデバイス直通システムの通信モードについて、上記デバイス発見情報の送信方法と受信方法を具体的に説明する、なお、以下の具体的な実施形態は本発明を説明するためのものであって、本発明を不当に限定することはない。
（好適な実施形態１）
好適な実施形態において、主に、ネットワークにカバーされた場合（図１中の通信モード１）に対応するデバイス発見情報の送信方法を説明する。該好適な実施形態において、デバイス直通発見及び通信を行う端末はいずれも基地局にカバーされており、基地局はデバイスによるデバイス直通発見及びデバイス直通通信を援助する。以下、実例１〜実例７によって詳しく説明する。
【００７９】
（実例１）
ソーシャルアプリシナリオ（ｓｏｃｉａｌ  ａｐｐｌｉｃａｔｉｏｎ  ｓｃｅｎａｒｉｏ）を例とし、Ｍａｒｙ、Ｊｏｈｎ、ＰｅｔｅｒはいずれもＤ２Ｄ機能付きのＵＥを有しているとする。ＡＰＰ１はソーシャルアプリシナリオで、該ソーシャルアプリシナリオはネットワーク側から提供されるＤ２Ｄ  ＵＥ発見及び通信機能を使用可能である。Ｍａｒｙ、ＪｏｈｎとＰｅｔｅｒがすでにＡＰＰ１に登録し、ＭａｒｙとＪｏｈｎとＰｅｔｅｒがＡＰＰ１で互いに友だちと設定したとする。ＭａｒｙのＵＥがネットワークにアクセスした後、ＭａｒｙはＡＰＰ１を介して、友だちが付近にいるか否かを探すことにし、そして、該ＵＥを介してＡＰＰ１及びＵＥのＤ２Ｄ発見及び通信機能をオンにした。
【００８０】
ＭａｒｙのＵＥはＤ２Ｄ発見及び通信モジュールをオンにした後、ＵＥ側のＤ２Ｄモジュールとネットワーク側のエンティティ（例えば、ｅＮＢ、ＭＭＥ、ＰｒｏＳｅ  Ｓｅｒｖｅｒ又は他のデバイス直通管理機能付きのネットワークエレメント）との間のインタラクションを発し、デバイス直通発見識別子の割り当てを要求する。そして、ＵＥがネットワークにアクセスした時又はネットワークに付着した時に、ネットワーク側のエンティティによって既にデバイス直通発見識別子をＵＥに割り当てた可能性もある。デバイス直通発見識別子は、Ｄ２Ｄデバイス発見専用の識別子であってもよいし、ネットワーク側のＵＥ識別用の既存の識別子を用いてもよい、例えば、ＣＲＮＴＩ、ＳＴＭＳＩ、Ｓ１ＡＰＩＤ、ＩＭＳＩ、ＧＵＴＩ、ＩＰ等を用いることができる。
【００８１】
そして、ＭａｒｙのＵＥがｅＮＢと協議してデバイス発見情報を送信するのに必要なエアインターフェースリソースを取得し、デバイス発見情報の送信に用いられるエアインターフェースリソースは同期信号及び／又は放送チャネルリソース（例えば、時間、周波数、コードリソースの集合）であることができる。該リソースは、ｅＮＢによって専用シグナルでＵＥに送信されることができ、ｅＮＢがデバイス発見情報を送信するリソース集合を放送し、ＵＥが競争方式でその中の利用可能なリソースを取得することもできる。
【００８２】
デバイス直通発見識別子、及びデバイス発見情報を送信するエアインターフェースリソースを確定した後、ＭａｒｙのＵＥはデバイス発見情報を構成し、構成したデバイス発見情報のフォーマットは図６に示す通りである。該デバイス発見情報はＭａｒｙのＵＥに割り当てられたデバイス直通発見識別子とＵＥデバイス直通能力プロフィール（ｐｒｏｆｉｌｅ）を含む。ＵＥデバイス直通能力プロフィールはＵＥのデバイス直通における１セットの能力集合を示し、例えば、デバイス直通通信能力、中継能力、電力レベル及び伝送モード、マルチアンテナ、再伝送、セキュリティ等を含む。ＵＥデバイス直通能力プロフィールの種類は、システムによって統一的に設定され、ＵＥは自体の能力に応じて、適切なデバイス直通能力プロフィールを選択してデバイス発見情報に含ませる。
【００８３】
オプションとして、ＵＥは、デバイス能力情報にて、ＵＥの電力レベルとＵＥのデバイス直通通信能力の有無のみを示す。ここで、ＵＥの電力レベルはＵＥの現在残りの電力レベルを示し、例えば、制限無し、高級、中級、低級等を含み、ＵＥのデバイス直通通信能力の有無は、ＵＥが他のデバイス直通ＵＥとデバイス直通通信を行うことが可能であるか否かを示す。
【００８４】
オプションとして、ＵＥは、デバイス能力情報に、ＵＥの電力レベルとＵＥのデバイス直通通信能力の有無の指示だけでなく、ＵＥのデバイス直通能力プロフィールも含ませ、この時、ＵＥのデバイス直通能力プロフィールは主に、伝送モード、マルチアンテナ、再伝送、セキュリティ等の能力情報を含む。
【００８５】
ＭａｒｙのＵＥは、デバイス発見情報の構成を完成した後、割り当てられた又は競争を経て選択されたエアインターフェースリソースにてデバイス発見情報を放送送信する。この時、ＪｏｈｎとＰｅｔｅｒがＭａｒｙの付近にいて、ＪｏｈｎとＰｅｔｅｒのＵＥもネットワークにアクセスし、ＡＰＰ１とＤ２Ｄ発見及び通信モジュールをオンにすると、ＪｏｈｎとＰｅｔｅｒのＵＥはＭａｒｙが放送送信したデバイス発見情報を検出でき、ＪｏｈｎとＰｅｔｅｒのＵＥがデバイス発見情報を受信し解析して、その中に含まれたＭａｒｙのＵＥに対応するデバイス直通発見識別子及びＭａｒｙのＵＥのデバイス能力情報を保存する。そして、必要な時には、ＪｏｈｎとＰｅｔｅｒのＵＥのＤ２Ｄモジュールは受信したデバイス直通発見識別子リスト情報をネットワーク側のエンティティに送信して、ネットワーク側に互いに相手を発見できるか否かを検出することを要求し、ネットワーク側によって発見できると検証されると、ＪｏｈｎとＰｅｔｅｒはＭａｒｙのＵＥが付近にいる情報を、オンにしたＡＰＰ１を介してＪｏｈｎとＰｅｔｅｒのＵＥに提示する。
【００８６】
さらに、ＪｏｈｎのＵＥに保存されたＭａｒｙのＵＥのデバイス能力情報がＭａｒｙのＵＥがデバイス直通通信能力を具備することを示している場合に、ＪｏｈｎのＵＥは必要な時にデバイス直通の方式でＭａｒｙのＵＥにビデオファイルを送信することができる。記憶されたＭａｒｙのＵＥのデバイス能力情報がさらにＵＥデバイス直通能力プロフィール指示を含む場合に、ＪｏｈｎのＵＥはＭａｒｙのＵＥとデバイス直通通信接続を確立する際に両方のパワー、伝送モード、マルチアンテナ、再伝送、セキュリティ等のいろいろな能力を考慮して適切な接続を確立する。一方、ＪｏｈｎのＵＥに保存されたＭａｒｙのＵＥのデバイス能力情報がＭａｒｙのＵＥがデバイス直通通信能力を具備しないことを示している場合に、ＪｏｈｎのＵＥはＭａｒｙのＵＥとのデバイス直通通信の接続の確立を放棄する。
【００８７】
（実例２）
実例２においてもソーシャルアプリシナリオを例とし、Ｍａｒｙ、ＪｏｈｎがＤ２Ｄ機能付きのＵＥを有している。ＡＰＰ１はソーシャルアプリシナリオで、該ソーシャルアプリシナリオはネットワーク側から提供されるＤ２Ｄ  ＵＥ発見及び通信機能を使用可能である。ＭａｒｙとＪｏｈｎがＡＰＰ１にすでに登録し、ＭａｒｙとＪｏｈｎがＡＰＰ１で互いに友だちと設定したとする。ＭａｒｙのＵＥがネットワークにアクセスした後、ＭａｒｙはＡＰＰ１を介して、友だちＪｏｈｎが付近にいるか否かを探すことにして、Ｍａｒｙは該ＵＥを介してＡＰＰ１及びＵＥのＤ２Ｄ発見及び通信機能をオンにした。ＭａｒｙのＵＥは実例１に類似するプロセスでデバイス直通発見識別子及びデバイス発見情報送信用のエアインターフェースリソースを取得した。
【００８８】
ＭａｒｙのＵＥとＪｏｈｎのＵＥのデバイス直通発見識別子及びデバイス発見情報を送信するためのエアインターフェースリソースを確定した後、ＭａｒｙのＵＥはデバイス発見情報を構成し、構成されたデバイス発見情報のフォーマットは図７に示す通りである。該デバイス発見情報はＪｏｈｎのＵＥに割り当てられたデバイス直通発見識別子（即ち、ターゲットデバイス直通発見識別子）とＭａｒｙのＵＥのデバイス直通発見識別子（即ち、ソースデバイス直通発見識別子）とを含む。
【００８９】
ＭａｒｙのＵＥはデバイス発見情報の構成を完成した後、割り当てられた又は競争を経て選択されたエアインターフェースリソースでデバイス発見情報を放送送信する。この時、ＪｏｈｎがＭａｒｙの付近にいて、ＪｏｈｎとＰｅｔｅｒのＵＥもネットワークにアクセスし、ＡＰＰ１とＤ２Ｄ発見及び通信モジュールをオンにすると、ＪｏｈｎのＵＥはＭａｒｙが放送送信したデバイス発見情報を検出でき、ＪｏｈｎのＵＥはデバイス発見情報を受信し解析して、その中に含まれたターゲットデバイス直通発見識別子及びソースデバイス直通発見識別子を保存する。
【００９０】
Ｊｏｈｎが解析したデバイス発見情報に含まれたターゲットデバイス直通発見識別子が自体のデバイス直通発見識別子と一致すると、ＪｏｈｎのＵＥはネットワークエンティティを介して又は直接に、該デバイス発見情報を送信したＵＥに発見応答メッセージを送信する。前記発見応答メッセージに少なくともＵＥのデバイス直通発見識別子及び該デバイス発見情報を送信したＵＥのデバイス直通発見識別子を含む。該応答メッセージがさらにＪｏｈｎのＵＥによってネットワーク側のエンティティに送信され、ネットワーク側のエンティティは発見応答メッセージを受信した後、発見応答メッセージをデバイス発見情報を送信したＭａｒｙのＵＥに転送する。好ましくは、ネットワーク側のエンティティは基地局、移動管理エンティティ、デバイス直通サーバ及びデバイス直通サービス処理機能を具備する他のネットワークエレメントを含むが、これらに限定されることはない。
【００９１】
ＭａｒｙのＵＥは、ネットワーク側のエンティティが転送した又はＪｏｈｎのＵＥが直接に送信した発見応答メッセージを受信した後、ＪｏｈｎのＵＥを探したと判断し、その後、必要な時にＪｏｈｎのＵＥとの間でデバイス直通通信を発することができる。
オプションとして、実例２中のデバイス発見情報に実例１のデバイス能力情報を含んでもよい。
【００９２】
（実例３）
ＭａｒｙとＪｏｈｎがＤ２Ｄ機能付きのＵＥを有しており、ＭａｒｙのＵＥがネットワークにアクセスした後、ＭａｒｙのＵＥはＤ２Ｄ発見及び通信機能をオンにして、付近の隣接するＤ２Ｄ  ＵＥを探すことにした。ＭａｒｙのＵＥは実例１に類似するプロセスでデバイス直通発見識別子及びデバイス発見情報を送信するためのエアインターフェースリソースを取得した。なお、ＭａｒｙのＵＥは割り当てられたデバイス発見情報送信用のエアインターフェースリソース情報によって識別してもよい。例えば、ｅＮＢによって割り当てられたデバイス発見情報送信用のエアインターフェースリソースの特定の時間、周波数、コードリソースの組み合わせで一つのＵＥを唯一的に識別することができる。このような場合、ＭａｒｙのＵＥから送信されるデバイス発見情報に明示的にデバイス直通発見識別子を含む必要がなく、デバイス発見情報の送信に用いられるエアインターフェースリソースによって黙示的にＵＥを示すことができる。
【００９３】
ネットワークはグループに基づく発見及び通信を支援し、当該グループの概念は大きくても小さくても構わなく、一つのＰＬＭＮが一つのグループに属してもよいし、事業者が集団クライアントに基づいてグループを形成してもよく（一つの会社のユーザに設定した短番号グループに類似する）、そして、ＵＥを有するユーザが自分で親友グループを設定することもできる（例えば、ユーザが携帯電話の連絡先情報に基づいてグループを設定する）。一つのＤ２Ｄ  ＵＥは一つのグループに属してもよいし、同時に複数のグループに属してもよい。グループに基づく発見によれば、Ｄ２Ｄ  ＵＥが隣接する他のＵＥのＩＤを知らなくても、グループの識別子に基づいて、関心を持つ隣接するＵＥであるか否かを判断できる。
【００９４】
ＭａｒｙのＵＥが一定のルールに従ってグループ１に割り当てられ、グループ１の識別子を取得し、ＭａｒｙのＵＥがグループ１に基づく隣接するＵＥの発見を発しようとする。デバイス直通発見識別子、デバイス発見情報を送信するエアインターフェースリソース、グループ１の識別子を確定した後、ＭａｒｙのＵＥはデバイス発見情報を構成し、構成されたデバイス発見情報のフォーマットは図８に示す通りである。該デバイス発見情報はＭａｒｙのＵＥに割り当てられたデバイス直通発見識別子とグループ１の識別子情報を含むことができ、図８中のａに示す通りである。そして、Ｅが属するグループの識別子はデバイス直通発見識別子によって黙示的に含まれることができ、例えば、デバイス直通発見識別子の幾つかの高ビットでＵＥがあるグループを示すことができ、図８中のｂに示す通りである。グループ識別子情報によるオーバーヘッドを低減するため、エアインターフェースによって送信されるデバイス発見情報に一つのデバイス直通グループ情報のみを含むことができる。ＵＥが同時に複数のグループに属すると、複数のデバイス発見情報を送信することができ、異なるデバイス発見情報に異なるグループ識別子を含む。
【００９５】
ＭａｒｙのＵＥがデバイス発見情報の構成を完成した後、割り当てられた又は競争を経て選択されたエアインターフェースリソースでデバイス発見情報を放送送信する。この時に、ＪｏｈｎがＭａｒｙの付近にいて、ＪｏｈｎのＵＥもネットワークにアクセスしてＤ２Ｄ発見及び通信モジュールをオンにすると、ＪｏｈｎのＵＥはＭａｒｙが放送送信したデバイス発見情報を検出できる。ＪｏｈｎのＵＥは該デバイス発見情報を受信し解析して、その中に含まれたＭａｒｙのＵＥに対応するデバイス直通発見識別子及びグループ１の識別子情報を保存する。
【００９６】
ＪｏｈｎのＵＥがグループ１に割り当てられ、グループ１の識別子を取得したとする。ＪｏｈｎのＵＥが解析したデバイス発見情報に含まれたグループ識別子が自体のグループ識別子と一致すると、グループに予め定義されたルールに従って対応する処理を行う。例えば、ＪｏｈｎのＵＥがＭａｒｙのＵＥと同一のグループに属することを発見すると、ＪｏｈｎのＵＥは応答メッセージをＭａｒｙのＵＥに送信して、相互に発見したと確認する。そして、ＪｏｈｎのＵＥはグループに予め定義されたルールに従って、ＭａｒｙのＵＥから送信されたデバイス発見情報を転送する必要があるか又はＭａｒｙのＵＥと対応するデバイス直通通信を確立する必要があるか否かを判断する。
【００９７】
（実例４）
ＭａｒｙとＪｏｈｎはＤ２Ｄ機能付きのＵＥを有しており、ＭａｒｙのＵＥがネットワークにアクセスした後、ＭａｒｙのＵＥはＤ２Ｄ発見及び通信機能をオンにして、付近の隣接するＤ２Ｄ  ＵＥを探すことにした。
【００９８】
ＭａｒｙのＵＥは実例１に類似するプロセスでデバイス直通発見識別子及びデバイス発見情報送信用のエアインターフェースリソースを取得した。ＭａｒｙのＵＥが現在接続状態であるとすると、デバイス直通発見識別子とデバイス発見情報送信用のエアインターフェースリソースを確定した後、ＭａｒｙのＵＥはデバイス発見情報を構成する。該デバイス発見情報は図９に示すＭａｒｙのＵＥに割り当てられたデバイス直通発見識別子とＭａｒｙ  ＵＥの接続状態識別子を含むことができる。ＵＥ状態情報はＵＥが接続状態であるかそれとも空き状態であるかを示し、明示的な状態フィールドによって示すことができ、例えば、０で空き状態を表し、１で接続状態を表すことができ、状態の異なるＵＥに異なるデバイス直通識別子集合を割り当てることもでき、ＵＥの状態情報をデバイス発見情報に含まれるデバイス直通識別子によって黙示的に示すこともできる。また、状態の異なるＵＥにデバイス発見情報を乗せる異なるリソース集合を割り当て、ＵＥの状態情報を発見情報の送信に用いられるリソースによって黙示的に示すこともできる。
【００９９】
なお、状態の異なるＵＥに異なるデバイス直通発見識別子集合を割り当てる場合に、ネットワーク側のエンティティはＵＥに二つのデバイス直通発見識別子を割り当てなければならず、当該二つのデバイス直通発見識別子はそれぞれ、ＵＥが接続状態と空き状態でデバイス直通発見を行う際に利用される。状態の異なるＵＥにデバイス発見情報を乗せる異なるリソース集合を割り当てＵＥ状態を黙示的に示す（指示する）方式において、異なる状態のＵＥを区別するためのデバイス直通発見識別子集合とデバイス発見情報を乗せるリソース集合情報はシステムによって予め配置されるか又はエアインターフェースによる放送又は専用シグナルによってＵＥに送信され、ＵＥは状態の変換を行う時、対応するデバイス発見情報送信リソースを再び取得しなければならない。
【０１００】
ＭａｒｙのＵＥがデバイス発見情報の構成を完成した後、割り当てられた又は競争を経て選択されたエアインターフェースリソースでデバイス発見情報を放送送信する。この時、ＪｏｈｎがＭａｒｙの付近にいて、ＪｏｈｎのＵＥもネットワークにアクセスしてＤ２Ｄ発見及び通信モジュールをオンにすると、ＪｏｈｎのＵＥはＭａｒｙが放送送信したデバイス発見情報を検出できる。ＪｏｈｎのＵＥはデバイス発見情報を受信し解析して、その中に含まれたＭａｒｙのＵＥに対応するデバイス直通発見識別子及びＵＥ状態情報を保存する。
【０１０１】
ＪｏｈｎのＵＥがＭａｒｙのＵＥと対応するデバイス直通通信を確立しようとすると、保存されたＭａｒｙのＵＥの状態に応じて、デバイス直通発見及びデバイス直通通信プロセスを実行しなければならない。具体的に、ＵＥが空き状態であると、隣接するＵＥが該ＵＥとのデバイス直通通信を発する際に、該ＵＥを呼び出し、呼び出すことで、該ＵＥをネットワークにアクセスさせて通信接続を確立する。ＵＥが接続状態であると、隣接するＵＥは直接に該ＵＥのサービング基地局を探すことができ、必要な時に該ＵＥのサービング基地局を介してデバイス直通通信接続を確立する。
【０１０２】
（実例５）
ＭａｒｙとＪｏｈｎがＤ２Ｄ機能付きのＵＥを有しており、ＭａｒｙのＵＥはネットワークにアクセスした後、Ｄ２Ｄ発見及び通信機能をオンにして、付近の隣接するＤ２Ｄ  ＵＥを探すことにした。
【０１０３】
ＭａｒｙのＵＥは実例１に類似するプロセスでデバイス直通発見識別子及びデバイス発見情報送信用のエアインターフェースリソースを取得する。ＭａｒｙのＵＥが突然に緊急救助状態になったユーザ又はＭａｒｙ自体が優先級の高い契約ユーザであるとする。デバイス直通発見識別子、及びデバイス発見情報を送信するエアインターフェースリソースを確定した後、ＭａｒｙのＵＥはデバイス発見情報を構成し、構成されたデバイス発見情報のフォーマットは図１０に示す通りである。該デバイス発見情報がＭａｒｙのＵＥに割り当てられたデバイス直通発見識別子と優先級及び／又はユーザ種別情報を含むことができる。ここで、ユーザ種別情報はＵＥが緊急救助ユーザであるかそれとも普通ユーザ又はシステム管理ユーザであるかを示すことができる。
【０１０４】
ＭａｒｙのＵＥはデバイス発見情報の構成を完成した後、割り当てられた又は競争を経て選択されたエアインターフェースリソースでデバイス発見情報を放送送信する。この時、ＪｏｈｎがＭａｒｙの付近にいて、ＪｏｈｎのＵＥもネットワークにアクセスしてＤ２Ｄ発見及び通信モジュールをオンにするとすると、ＪｏｈｎのＵＥはＭａｒｙが放送送信したデバイス発見情報を検出できる。ＪｏｈｎのＵＥはデバイス発見情報を受信して解析し、その中に含まれたＭａｒｙのＵＥに対応するデバイス直通発見識別子及びＵＥタイプ情報を保存する。ＵＥタイプ情報がＵＥが優先級の高い又は緊急救助ユーザ又はシステム管理ユーザであることを示す場合に、ＪｏｈｎのＵＥは後続の発見及びデバイス直通通信プロセスにおいて優先的にＭａｒｙのＵＥに応答する。
【０１０５】
（実例６）
ＭａｒｙとＪｏｈｎがＤ２Ｄ機能付きのＵＥを有しており、ＭａｒｙのＵＥはネットワークにアクセスした後、Ｄ２Ｄ発見及び通信機能をオンにして付近の隣接するＤ２Ｄ  ＵＥを探すことにした。
【０１０６】
ＭａｒｙのＵＥは実例１に類似するプロセスでデバイス直通発見識別子及びデバイス発見情報の送信に用いられるエアインターフェースリソースを取得する。デバイス直通発見識別子、及びデバイス発見情報を送信するエアインターフェースリソースを確定した後、ＭａｒｙのＵＥはデバイス発見情報を構成し、該デバイス発見情報はＭａｒｙのＵＥに割り当てられたデバイス直通発見識別子とＭａｒｙ  ＵＥのカバレッジ情報を含むことができ、構成されたデバイス発見情報は図１１に示す通りである。ＵＥのカバレッジ情報はＵＥが基地局にカバーされたか否か、及びＵＥのサービング基地局指示を示す。ＵＥが基地局にカバーされたか否かは明示的なフィールドで示すことができ、例えば、０で基地局にカバーされていないことを表し、１で基地局にカバーされたことを表す。又は、特別なＵＥサービング基地局指示情報（ＵＥ  ｓｅｒｖｉｎｇ  ｅＮＢ  ｉｎｄｉｃａｔｉｏｎ  ｉｎｆｏｒｍａｔｉｏｎ）を割り当て確認することもできる。ＵＥのサービング基地局指示として、ＵＥサービング基地局識別子、又はＵＥサービングセル識別子、又はＵＥサービングセル物理識別子、又は隣接する基地局を区別するための他の識別子を用いることができる。
【０１０７】
隣接基地局区別用の識別子で示す場合、さらに、ネットワーク管理者によって基地局に隣接基地局区別用の識別子を配置するか、又は隣接する基地局自体が区別用識別子を選択してＸ２インターフェースを介してインタラクションを行うことで、隣接領域での識別子の唯一性を確保する必要があり、Ｘ２インターフェースで基地局の区別用識別子を乗せるメッセージはＸ２確立メッセージ、隣接セル構成（配置）メッセージ、又は基地局区別用識別子を乗せることのできる他のＸ２メッセージを含むが、これらに限定されることはない。基地局は隣接する基地局の区別用識別子を取得した後、エアインターフェースによる放送又は専用シグナルを介してＵＥに送信する。
【０１０８】
ＭａｒｙのＵＥはデバイス発見情報の構成を完成した後、割り当てられた又は競争を経て選択されたエアインターフェースリソースでデバイス発見情報を放送送信する。この時、ＪｏｈｎがＭａｒｙの付近にいて、ＪｏｈｎのＵＥもネットワークにアクセスしてＤ２Ｄ発見及び通信モジュールをオンにすると、ＪｏｈｎのＵＥはＭａｒｙが放送送信したデバイス発見情報を検出できる。ＪｏｈｎのＵＥはデバイス発見情報を受信し解析して、その中に含まれたＭａｒｙのＵＥに対応するデバイス直通発見識別子及びＵＥカバレッジ情報を保存する。
【０１０９】
ＪｏｈｎのＵＥがＭａｒｙのＵＥと対応するデバイス直通通信を確立しようとすると、保存されたＭａｒｙのＵＥのカバーに基づいてデバイス直通発見及びデバイス直通通信プロセスを実行しなければならない。例えば、ＪｏｈｎのＵＥはＭａｒｙのＵＥとのデバイス直通通信接続の確立を発する際、ＪｏｈｎのＵＥのサービング基地局に送信される要求メッセージにＭａｒｙのＵＥのサービング基地局情報を含ませることができ、ＪｏｈｎのＵＥのサービング基地局は該情報を受信した後、ＭａｒｙのＵＥと同一のサービング基地局にあるか否かを判断し、同一のサービング基地局にあるのではないと、デバイス直通通信接続を確立する際に、Ｘ２インターフェース協議を行わなければならない。
【０１１０】
（実例７）
ＭａｒｙがＤ２Ｄ機能付きのＵＥを持って駐車場に入った。ＭａｒｙのＵＥはネットワークにアクセスした後、Ｄ２Ｄ発見及び通信機能をオンにして付近の空いた駐車スペースを探すことにした。
【０１１１】
駐車場中の各駐車スペースはＤ２Ｄ機能付きのＵＥにそれぞれ対応する。各駐車スペースのＤ２Ｄ  ＵＥは実例１に類似するプロセスでデバイス直通発見識別子及びデバイス発見情報の送信に必要なエアインターフェースリソースを取得することができる。デバイス直通発見識別子、及びデバイス発見情報を送信するエアインターフェースリソースを確定した後、空いた駐車スペースのＵＥはデバイス発見情報を構成し、該デバイス発見情報は割り当てられたデバイス直通発見識別子と駐車アプリ情報を含むことができ、ここで、アプリ関連情報はアプリタイプ、アプリ識別子、及び特定のアプリ情報を含むが、これらに限定されることはない。駐車アプリに対応して、特定のアプリ情報は空いた駐車スペースの番号、位置、価額等情報であることができる。これらの情報は特別に符号化されたデバイス直通発見識別子で示すことも可能である。
【０１１２】
空いた駐車スペースのＵＥはデバイス発見情報を構成した後、割り当てられた又は競争を経て選択されたエアインターフェースリソースでデバイス発見情報を放送送信する。この時、ＭａｒｙのＵＥがますます入って来るとすると、ＭａｒｙのＵＥは空いた駐車スペースが放送送信したデバイス発見情報を検出できる。ＭａｒｙのＵＥは該デバイス発見情報を受信し解析して、その中に含まれたＭａｒｙのＵＥに対応するデバイス直通発見識別子及びアプリ関連情報を保存する。
アプリ関連情報により提供される空いた駐車スペースの番号、位置、価額等の指示に応じて、ＭａｒｙのＵＥは最も近い駐車スペースを探して対応する位置に駐車することができる。
【０１１３】
（好適な実施形態２）
本好適な実施形態において、一部がネットワークにカバーされた場合（図１中の通信モード２）に対応するデバイス発見情報の送信方法を説明する。該好適な実施形態の特徴は、ネットワークにカバーされた一部の直通デバイスがｒｅｌａｙ（即ち、中継ノード）として働き、ネットワークカバー領域の縁部又はネットワークにカバーされていない箇所に位置する直通デバイスがｒｅｌａｙとしての直通デバイスを介して基地局と通信を行う。以下、実例８によって詳しく説明する。
【０１１４】
（実例８）
ＭａｒｙとＪｏｈｎはＤ２Ｄ機能付きのＵＥを有しており、ＭａｒｙのＵＥはネットワークにアクセスしてＵＥのＤ２Ｄ発見及び通信機能をオンにした。ＭａｒｙのＵＥはセルの縁部に位置し、ＭａｒｙのＵＥが中継ノードとして、基地局のカバー範囲内ではない他の付近の隣接ＵＥのデータを転送することにした。
ＭａｒｙのＵＥは実例１〜７と同じなプロセスでデバイス直通発見識別子及びデバイス発見情報の送信に必要なエアインターフェースリソースを取得する。デバイス直通発見識別子、及びデバイス発見情報を送信するエアインターフェースリソースを確定した後、ＭａｒｙのＵＥはデバイス発見情報を構成し、構成されたデバイス発見情報のフォーマットは図６に示す通りである。該デバイス発見情報はＭａｒｙのＵＥに割り当てられたデバイス直通発見識別子とＵＥデバイス直通能力プロフィール（ｐｒｏｆｉｌｅ）を含む。ＵＥデバイス直通能力プロフィールは、ＵＥのデバイス直通における１セットの能力集合を示し、例えばデバイス直通通信能力、中継能力、電力レベル、伝送モード、マルチアンテナ、再伝送、マルチモード・マルチシステムの支援、負荷能力、セキュリティ等を含む。ＵＥデバイス直通能力プロフィールの種類はシステムによって統括的に設定され、ＵＥは自体の能力に応じて、適切なデバイス直通能力プロフィールを選択して、デバイス発見情報に含ませる。
【０１１５】
オプションとして、ＵＥはデバイス能力情報においてただＵＥの電力レベルとＵＥのデバイス直通通信能力の有無を示す。ここで、ＵＥの電力レベルはＵＥの現在残りの電力レベル、例えば、制限無し、高級、中級、低級等を示す。ＵＥのデバイス直通通信能力の有無は、ＵＥが他のデバイス直通ＵＥとデバイス直通通信を行うことが可能であるか否かを示す。
【０１１６】
オプションとして、ＵＥがデバイス能力情報にＵＥの電力レベルとＵＥのデバイス直通通信能力の有無の指示情報を含ませると共に、ＵＥのデバイス直通能力プロフィールをさらに含ませることができ、この時、ＵＥのデバイス直通能力プロフィールは主に、伝送モード、マルチアンテナ、再伝送、セキュリティ等の能力情報を含む。
【０１１７】
ＭａｒｙのＵＥはデバイス発見情報の構成を完成した後、割り当てられた又は競争を経て選択されたエアインターフェースリソースでデバイス発見情報を放送送信する。この時、ＪｏｈｎのＵＥがＭａｒｙの付近にいるが、基地局のカバー範囲内ではなく、又は信号が格別に弱いと、ＪｏｈｎのＵＥはＤ２Ｄ発見及び通信モジュールをオンにして、Ｍａｒｙが放送送信したデバイス発見情報を検出し、ＪｏｈｎのＵＥはデバイス発見情報を受信し解析して、その中に含まれたＭａｒｙのＵＥに対応するデバイス直通発見識別子及びＭａｒｙのＵＥのデバイス能力情報を保存する。
【０１１８】
ＪｏｈｎのＵＥに保存されたＭａｒｙのＵＥのデバイス能力情報がＭａｒｙのＵＥが中継能力を具備することを示すと、ＪｏｈｎのＵＥは必要な時にＭａｒｙのＵＥによる転送を発してＭａｒｙのサービング基地局との通信を行うことができる。
【０１１９】
（好適な実施形態３）
在本好適な実施形態において、ネットワークにカバーされていない場合（図１に示す通信モード２）のデバイス発見情報の送信方法を説明する。本好適な実施形態において、ネットワークにカバーされていない直通デバイスの間で直接に通信を行い、又はｒｅｌａｙとして働く他の直通デバイスを介してマルチホップ転送通信を行う。以下、実例９によって詳しく説明する。
【０１２０】
（実例９）
ＭａｒｙとＪｏｈｎはＤ２Ｄ機能付きのＵＥを有しており、ＭａｒｙとＪｏｈｎのＵＥが基地局のカバー範囲内ではないとする。ＭａｒｙとＪｏｈｎのＵＥはデバイス識別子をデバイス直通発見識別子とし、又はシステム仕様に基づいて自分で衝突しないデバイス発見識別子を選択し、その後、競争を経てデバイス発見情報の送信に必要なエアインターフェースリソースを取得する。デバイス直通発見識別子、及びデバイス発見情報を送信するエアインターフェースリソースを確定した後、ＭａｒｙのＵＥはデバイス発見情報を構成する。該デバイス発見情報はＭａｒｙのＵＥに割り当てられたデバイス直通発見識別子と、属性更新計数値と、ＵＥのデバイス直通能力プロフィール（ｐｒｏｆｉｌｅ）とを含む。ＭａｒｙのＵＥが送信したＵＥデバイス直通能力プロフィール情報又はＵＥの他の属性情報が更新された場合、属性更新計数値はシステムに設定されたルールに従って変化する。ＵＥのデバイス直通能力プロフィールはＵＥがデバイス直通における１セットの能力集合、例えばデバイス直通通信能力、中継能力、電力レベル、伝送モード、マルチアンテナ、再伝送、セキュリティ等を示す。ＵＥのデバイス直通能力プロフィールの種類はシステムによって総括的に設定し、ＵＥは自体の能力に応じて、適切なデバイス直通能力プロフィールを選択して、デバイス発見情報に含ませる。
【０１２１】
ＭａｒｙのＵＥはデバイス発見情報の構成を完成した後、割り当てられた又は競争を経て選択されたエアインターフェースリソースでデバイス発見情報を放送送信する。この時、ＪｏｈｎのＵＥがＭａｒｙの付近にいて、ＪｏｈｎのＵＥがＭａｒｙのＵＥから放送送信されたデバイス発見情報を検出したとすると、ＪｏｈｎのＵＥはデバイス発見情報を受信して解析し、該デバイス発見識別子に対応する情報を受信したことがないと、その中に含まれたＭａｒｙのＵＥに対応するデバイス直通発見識別子、属性更新計数値及びＭａｒｙのＵＥのデバイス能力情報を保存し、一方、該デバイス発見識別子に対応する情報を受信したことがあって、且つ属性更新計数値がその前に保存されたＭａｒｙのＵＥに対応する属性更新計数値と異なると、ＪｏｈｎのＵＥは属性更新計数値及びＭａｒｙのＵＥのデバイス能力情報を更新する。
【０１２２】
ＪｏｈｎのＵＥに保存されたＭａｒｙのＵＥのデバイス能力情報がＭａｒｙのＵＥが中継能力を具備していることを示すと、ＪｏｈｎのＵＥは必要な時にＭａｒｙのＵＥによる転送を発してＭａｒｙに隣接する他ののＵＥ、例えばＰｅｔｅｒのＵＥとの通信を行うことができる。
【０１２３】
ＪｏｈｎのＵＥに保存されたＭａｒｙのＵＥの電力レベルがＭａｒｙのＵＥ電力レベルが低いことを示すと、ＪｏｈｎのＵＥはＭａｒｙのＵＥによるデータ転送又はデータ通信をできる限り低減する。
【０１２４】
（実例１０）
ＭａｒｙとＪｏｈｎはＤ２Ｄ機能付きのＵＥを有しており、ＭａｒｙとＪｏｈｎのＵＥが基地局のカバー範囲内ではないとする。ＭａｒｙのＵＥはＤ２Ｄ発見及び通信機能をオンにして付近の隣接するＤ２Ｄ  ＵＥを探すことにした。
【０１２５】
ＭａｒｙのＵＥが一定のルールに従ってグループ１に割り当てられ、グループ１の識別子を取得したとし、ＭａｒｙのＵＥがグループ１に基づく隣接するＵＥの発見を発しようとする。デバイス直通発見グループ識別子及びデバイス発見情報を送信するエアインターフェースリソースを確定した後、ＭａｒｙのＵＥはデバイス発見情報を構成し、構成されたデバイス発見情報のフォーマットは図８中のｃに示す通りである。図８中のｃに示すように、該デバイス発見情報はＭａｒｙのＵＥに割り当てられたグループ１の識別子情報を含むことができる。エアインターフェースで送信されたデバイス発見情報は複数のデバイス直通発見グループ情報を含んでもよい。
【０１２６】
ＭａｒｙのＵＥはデバイス発見情報の構成を完成した後、割り当てられた又は競争を経て選択されたエアインターフェースリソースでデバイス発見情報を放送送信する。この時、ＪｏｈｎがＭａｒｙの付近にいて、ＪｏｈｎのＵＥもネットワークにアクセスしてＤ２Ｄ発見及び通信モジュールをオンにすると、ＪｏｈｎのＵＥはＭａｒｙが放送送信したデバイス発見情報を検出できる。ＪｏｈｎのＵＥはデバイス発見情報を受信して解析し、その中に含まれたＭａｒｙのＵＥに対応するデバイス直通発見グループ１の識別子情報を保存する。
【０１２７】
ＪｏｈｎのＵＥがグループ１に割り当てられ、グループ１の識別子を取得したとする。ＪｏｈｎのＵＥが解析したデバイス発見情報に含まれたグループ識別子が自体のグループ識別子と一致すると、グループに予め定義されたルールに従って対応する処理を行う。例えば、ＪｏｈｎのＵＥがＭａｒｙのＵＥと同一のグループに属することを発見すると、ＪｏｈｎのＵＥは応答メッセージをＭａｒｙのＵＥに送信して相互の発見を確認する。ＪｏｈｎのＵＥはグループに予め定義されたルールに従って、ＭａｒｙのＵＥから送信されたデバイス発見情報を転送する必要があるか、又はＭａｒｙのＵＥと対応するデバイス直通通信を確立する必要があるか否かを判断する。
【０１２８】
上述した各好適な実例によってデバイス発見情報の送信方法を提供し、各種の場合での、発見シグナルにおける情報タイプ及び情報フォーマットを提案し、これにより、Ｄ２Ｄユーザ機器が関心を持つＵＥであるか否かを高速に判断でき、Ｄ２Ｄ発見及び通信プロセスを簡略化できる。
【０１２９】
他の実施例において、上記実施例及び好適な実施形態に記載の技術案を実行するためのソフトウェアを提供する。
また、他の実施例において、上記ソフトウェアが記憶される記憶媒体を提供し、当該記憶媒体は光ディスク、フロッピー、ハードディスク、書き込み・消去可能なメモリ等を含むが、これらに限定されることはない。
【０１３０】
上述したように、本発明によれば、以下のような技術的効果を実現できる。上記好適な実施形態において、第２のユーザ機器から送信されるデバイス発見情報にユーザ機器の属性情報を含ませ、該デバイス発見情報を受信したユーザ機器がその中のユーザ機器の属性情報に基づいてさらにデバイス直通発見及び／又はデバイス直通通信を行うか否かを確定することができ、上記方式によれば、既存技術においてデバイス発見情報に身分識別子のみを含みＤ２Ｄ通信の多様性の要求を満たすことのできない技術問題を有効に解決することができ、Ｄ２Ｄ通信の有効性及び柔軟性を向上させる技術的効果を実現できる。
【０１３１】
当業者にとって、上記本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１３２】
以上は、本発明の好適な実施例に過ぎず、本発明を限定するものではない。当業者であれば本発明に様々な修正や変形が可能である。本発明の精神や原則内での如何なる修正、置換、改良なども本発明の保護範囲内に含まれる。
【産業上の利用可能性】
【０１３３】
本発明の実施例により提供される技術案は通信分野に応用でき、既存技術においてデバイス発見情報に身分識別子のみを含みＤ２Ｄ通信の多様性の要求を満たすことのできない技術問題を解決し、Ｄ２Ｄ通信の有効性及び柔軟性を向上させる技術的効果を実現できる。
【図１】
2016521483.tif 000003
【図２】
2016521483.tif 000004
【図３】
2016521483.tif 000005
【図４】
2016521483.tif 000006
【図５】
2016521483.tif 000007
【図６】
2016521483.tif 000008
【図７】
2016521483.tif 000009
【図８】
2016521483.tif 000010
【図９】
2016521483.tif 000011
【図１０】
2016521483.tif 000012
【図１１】
2016521483.tif 000013
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
第１のユーザ機器が、第２のユーザ機器から送信された、ユーザ機器識別情報とユーザ機器の属性情報の中の少なくとも一つを含むデバイス発見情報を受信することと、
前記デバイス発見情報が所定の条件を満たす場合、前記第１のユーザ機器がデバイス直通発見及び／又はデバイス直通通信を実行することと、を含むデバイス発見情報の受信方法。
【請求項２】
前記ユーザ機器識別情報が、前記第２のユーザ機器のデバイス直通発見識別子、及び前記第２のユーザ機器が発見しようとするユーザ機器のデバイス直通発見識別子の中の少なくとも一つを含み、或いは、
前記ユーザ機器識別情報が、前記第２のユーザ機器のデバイス識別子、前記第２のデバイスが発見しようとするユーザ機器のデバイス識別子、ネットワークエンティティによって割り当てられたデバイス発見用識別子、及びシステム仕様に基づいて確定されたユーザ機器の識別子の中の少なくとも一つを含む請求項１に記載の方法。
【請求項３】
前記ユーザ機器の属性情報が、前記第２のユーザ機器の属性情報、及び前記第２のユーザ機器が発見しようとするユーザ機器の属性情報の中の少なくとも一つを含み、或いは、
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含む請求項１に記載の方法。
【請求項４】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項３に記載の方法。
【請求項５】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、
前記ユーザ機器種別が、緊急救助ユーザ、普通ユーザ、及びシステム管理ユーザの中の少なくとも一つを含み、及び／又は、
前記デバイス直通ユーザ機器が属するデバイス直通グループの識別子にユーザ機器が属する一つ又は複数のデバイス直通グループの直通グループ情報を含み、及び／又は、
明示的な状態フィールド、デバイス直通発見識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、
明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、
前記デバイス直通アプリに関連する属性情報がアプリタイプ、アプリ識別子、及び特定のアプリ情報の中の少なくとも一つを含むが、これらに限定されない請求項４に記載の方法。
【請求項６】
前記デバイス直通発見識別子と前記デバイス発見情報を乗せるリソース集合は、基地局により、エアインターフェースによる放送又は専用シグナルを介して前記第２のユーザ機器に送信されるものである請求項５に記載の方法。
【請求項７】
前記隣接基地局区別用の識別子が、ユーザ機器サービング基地局識別子、ユーザ機器サービングセル識別子、及びユーザ機器サービングセル物理識別子の中の少なくとも一つを含み、或いは、
前記隣接基地局区別用の識別子が、ネットワーク管理者により基地局ごとに配置された、隣接基地局同士を区別するための識別子、又は、基地局が自発的に自体の区別用識別子を選択してＸ２インターフェースを介して隣接セル内の基地局とのインタラクションを行うことで区別用識別子の唯一性を確保する識別子である請求項５に記載の方法。
【請求項８】
前記第２のユーザ機器が前記デバイス発見情報を送信することは、
前記第２のユーザ機器が同期信号及び／又は放送チャネルによって前記デバイス発見情報を送信することを含む請求項１に記載の方法。
【請求項９】
前記デバイス発見情報が所定の条件を満たす場合、前記第１のユーザ機器がデバイス直通発見及び／又はデバイス直通通信を実行することは、
前記デバイス発見情報における、前記第２のユーザが発見しようとするユーザ機器のデバイス直通発見識別子が前記第１のユーザ機器のデバイス直通発見識別子と同一である場合、前記第１のユーザ機器が前記第２のユーザ機器に発見応答メッセージを送信することと、
前記第２のユーザ機器が前記発見応答メッセージを受信することと、を含み、
前記第１のユーザ機器が前記第２のユーザ機器に発見応答メッセージを送信することは、
前記第１のユーザ機器が直接に前記第２のユーザ機器に前記発見応答メッセージを送信すること、又は、
前記第１のユーザ機器がネットワークエンティティを介して前記第２のユーザ機器に前記発見応答メッセージを送信することと、を含む請求項１に記載の方法。
【請求項１０】
前記デバイス発見情報が所定の条件を満たす場合、前記第１のユーザ機器がデバイス直通発見及び／又はデバイス直通通信を実行することは、
前記デバイス発見情報に属性更新計数値を含む場合、前記第１のユーザ機器が前記第２のユーザ機器の情報と対応する属性更新計数値を受信したことがあるか否かを判断し、受信したことがない及び／又は受信した属性更新計数値が違うと、前記第１のユーザ機器が前記デバイス発見情報における属性更新計数値を保存し、他の属性情報を取得すること、及び／又は、
前記デバイス発見情報に前記第２のユーザ機器の中継能力情報を含む場合、前記第１のユーザ機器が前記第２のユーザ機器を保存し、前記第１のユーザ機器が中継ノードを探してシグナルとデータの転送を行う時に、前記第２のユーザ機器を中継ノード候補とすること、及び／又は、
前記デバイス発見情報に前記第２のユーザ機器のデバイス直通通信能力の有無情報の指示情報を含む場合、前記第１のユーザ機器が前記デバイス直通通信能力の有無情報の指示情報に基づいて前記第２のユーザ機器とのデバイス直通通信を発するか否かを判断すること、及び／又は、
前記デバイス発見情報に前記第２のユーザ機器のデバイス直通能力プロフィール情報を含む場合、前記第１のユーザ機器が前記第２のユーザ機器のデバイス直通能力プロフィール情報に基づいて、前記第２のユーザ機器とのデバイス直通通信接続確立を発する際に、通信パラメータを選択すること、及び／又は、
前記デバイス発見情報に前記第２のユーザ機器のタイプ情報を含む場合、前記第１のユーザ機器が前記第２のユーザ機器のタイプ情報に基づいて、高優先級のユーザ機器及び／又は緊急救助ユーザのユーザ機器に優先的に応答すること、及び／又は、
前記デバイス発見情報に前記第２のユーザ機器のグループ情報を含み、且つ前記第１のユーザ機器も前記グループ情報に示されたグループに属する場合、前記第１のユーザ機器が前記第２のユーザ機器のグループ情報に基づいてデバイス直通グループに基づくデバイスの発見を実行すること、及び／又は、
前記デバイス発見情報に前記第２のユーザ機器の状態情報を含む場合、前記第１のユーザ機器が前記第２のユーザ機器の状態に応じてデバイス直通発見及びデバイス直通通信プロセスを実行すること、及び／又は、
前記デバイス発見情報に前記第２のユーザ機器のカバレッジ情報を含む場合、前記第１のユーザ機器が前記第２のユーザ機器のカバレッジ情報に基づいて、前記第１のユーザ機器のサービング基地局を介して前記第２のユーザ機器とのデバイス発見及び／又はデバイス直通通信接続確立を完成すること、及び／又は、
前記デバイス発見情報に前記第２のユーザ機器のアプリ関連情報を含む場合、前記第１のユーザ機器が前記第２のユーザ機器のアプリ関連情報に示されたアプリが前記第１のユーザ機器が関心を持つアプリであるか否かを判断し、そうであると、前記第１のユーザ機器が予め設定された当該関心を持つアプリに対応する情報を提示することを、含む請求項１に記載の方法。
【請求項１１】
前記第１のユーザ機器が前記第２のユーザ機器の状態に応じてデバイス直通発見及びデバイス直通通信プロセスを実行することは、
前記第２のユーザ機器が空き状態である場合、前記第１のユーザ機器が前記第２のユーザ機器とのデバイス直通通信を発する際に、前記第２のユーザ機器がネットワークにアクセスして通信接続を確立するように、前記第２のユーザ機器を呼び出すこと、及び／又は、
前記第２のユーザ機器が接続状態である場合、前記第１のユーザ機器が前記第２のユーザ機器のサービング基地局を探して、探したサービング基地局を介してデバイス直通通信接続を確立することを含む請求項１０に記載の方法。
【請求項１２】
前記デバイス発見情報に前記第２のユーザ機器が発見しようとするユーザ機器の属性情報を含む場合、前記第１のユーザ機器がデバイス直通発見及び／又はデバイス直通通信を実行することは、
前記第１のユーザ機器が、自体の属性が前記デバイス発見情報中の、前記第２のユーザ機器が発見しようとするユーザ機器の属性情報を満たすか否かを判断し、満たすのであれば、前記第１のユーザ機器が直接に又はネットワークエンティティを介して、前記第２のユーザ機器に発見応答メッセージを送信することを含み、
前記発見応答メッセージに前記第１のユーザ機器のデバイス直通発見識別子及び／又は前記第２のユーザ機器のデバイス直通発見識別子を含ませる請求項３に記載の方法。
【請求項１３】
第１のユーザ機器が、ユーザ機器識別情報及び／又はユーザ機器の属性情報を含むデバイス発見情報を送信することを含むデバイス発見情報の送信方法。
【請求項１４】
前記第１のユーザ機器が前記デバイス発見情報を送信することは、
前記第１のユーザ機器が同期信号及び／又は放送チャネルに前記デバイス発見情報を乗せて送信することを含む請求項１３に記載の方法。
【請求項１５】
前記ユーザ機器識別情報が、前記第１のユーザ機器のデバイス直通発見識別子、及び／又は前記第１のユーザ機器が発見しようとするユーザ機器のデバイス直通発見識別子を含み、或いは、
前記ユーザ機器識別情報が、前記第１のユーザ機器のデバイス識別子、前記第１のユーザデバイスが発見しようとするユーザ機器のデバイス識別子、ネットワークエンティティによって割り当てられたデバイス発見用識別子、及びシステム仕様に基づいて確定されたユーザ機器の識別子の中の少なくとも一つを含む請求項１３に記載の方法。
【請求項１６】
前記ユーザ機器の属性情報が、前記第１のユーザ機器の属性情報及び／又は前記第１のユーザ機器が発見しようとするユーザ機器の属性情報を含み、或いは、
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含む請求項１３に記載の方法。
【請求項１７】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項１６に記載の方法。
【請求項１８】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、
前記ユーザ機器種別が、緊急救助ユーザ、普通ユーザ、及びシステム管理ユーザの中の少なくとも一つを含み、及び／又は、
前記デバイス直通ユーザ機器が属するデバイス直通グループの識別子にユーザ機器が属する一つ又は複数のデバイス直通グループの直通グループ情報を含み、及び／又は、
明示的な状態フィールド、デバイス直通識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、
明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、
前記デバイス直通アプリに関連する属性情報がアプリタイプ、アプリ識別子、及び特定のアプリ情報の中の少なくとも一つを含むが、これらに限定されない請求項１７に記載の方法。
【請求項１９】
他のユーザ機器から送信され、ユーザ機器識別情報とユーザ機器の属性情報の中の少なくとも一つを含むデバイス発見情報を受信するように構成される受信ユニットと、
前記デバイス発見情報が所定の条件を満たす場合、デバイス直通発見及び／又はデバイス直通通信を実行するように構成される実行ユニットと、を備えるユーザ機器。
【請求項２０】
前記ユーザ機器の属性情報が、前記他のユーザ機器の属性情報、及び前記他のユーザ機器が発見しようとするユーザ機器の属性情報の中の少なくとも一つを含み、或いは、
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含む請求項１９に記載のユーザ機器。
【請求項２１】
前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項２０に記載のユーザ機器。
【請求項２２】
前記現在残りの電力の電力レベルが、制限無し、高級、中級、及び低級の中の一つを含み、前記ユーザ機器の中継能力の有無はユーザ機器の電力レベルによって黙示的に示され、前記デバイス直通における能力が、デバイス直通通信能力、中継能力、電力レベル、伝送モード、マルチアンテナ、再伝送、セキュリティ、マルチモード・マルチシステムの支援、負荷指示、及び支援されるサービスタイプの中の少なくとも一つを含み、及び／又は、
前記ユーザ機器種別が、緊急救助ユーザ、普通ユーザ、及びシステム管理ユーザの中の少なくとも一つを含み、及び／又は、
前記デバイス直通ユーザ機器が属するデバイス直通グループの識別子にユーザ機器が属する一つ又は複数のデバイス直通グループの直通グループ情報を含み、及び／又は、
明示的な状態フィールド、デバイス直通発見識別子による黙示的な指示、及び前記発見情報の送信に用いられるリソースによる黙示的な指示の中の一つの方式でユーザ機器の状態を示し、ここで、状態の異なるユーザ機器にデバイス発見情報を乗せる異なるリソース集合を割り当て、及び／又は、
明示的なフィールドによる指示、ユーザ機器のサービング基地局指示情報による指示の中の一つによって、前記基地局によるユーザ機器へのカバーの有無を示し、ここで、前記ユーザ機器のサービング基地局指示は隣接基地局区別用の識別子であり、及び／又は、
前記デバイス直通アプリに関連する属性情報がアプリタイプ、アプリ識別子、及び特定のアプリ情報の中の少なくとも一つを含むが、これらに限定されない請求項２１に記載のユーザ機器。
【請求項２３】
前記実行ユニットが、
前記デバイス発見情報に属性更新計数値を含む場合、前記他のユーザ機器の情報と対応する属性更新計数値を受信したことがあるか否かを判断し、受信したことがない及び／又は受信した属性更新計数値が違うと、前記デバイス発見情報における属性更新計数値を保存して、他の属性情報を取得するように構成される第１の実行モジュール、及び／又は、
前記デバイス発見情報に前記他のユーザ機器の中継能力情報を含む場合、前記他のユーザ機器を保存し、前記実行ユニットがあるユーザ機器が中継ノードを探してシグナルとデータの転送を行う時、前記他のユーザ機器を中継ノード候補とするように構成される第２の実行モジュール、及び／又は、
前記デバイス発見情報に前記他のユーザ機器のデバイス直通通信能力の有無情報の指示情報を含む場合、前記実行ユニットがあるユーザ機器が前記デバイス直通通信能力の有無情報の指示情報に基づいて、前記他のユーザ機器とのデバイス直通通信を発するか否かを判断するように構成される第３の実行モジュール、及び／又は、
前記デバイス発見情報に前記他のユーザ機器のデバイス直通能力プロフィール情報を含む場合、前記他のユーザ機器のデバイス直通能力プロフィール情報に基づいて、前記他のユーザ機器とのデバイス直通通信接続確立を発する際に通信パラメータを選択するように構成される第４の実行モジュール、及び／又は、
前記デバイス発見情報に前記他のユーザ機器のタイプ情報を含む場合、前記他のユーザ機器のタイプ情報に基づいて高優先級のユーザ機器及び／又は緊急救助ユーザのユーザ機器に優先して応答するように構成される第５の実行モジュール、及び／又は、
前記デバイス発見情報に前記他のユーザ機器のグループ情報を含み、且つ前記実行ユニットがあるユーザ機器も前記グループ情報に示されたグループに属する場合、前記他のユーザ機器のグループ情報に基づいてデバイス直通グループに基づくデバイス発見を行うように構成される第６の実行モジュール、及び／又は、
前記デバイス発見情報に前記他のユーザ機器の状態情報を含む場合、前記他のユーザ機器の状態に応じて、デバイス直通発見及びデバイス直通通信プロセスを行うように構成される第７の実行モジュール、及び／又は、
前記デバイス発見情報に前記他のユーザ機器のカバレッジ情報を含む場合、前記他のユーザ機器のカバレッジ情報に基づいて、前記他のユーザ機器とは前記実行ユニットがあるユーザ機器のサービング基地局を介してデバイス発見及び／又はデバイス直通通信接続確立を完成するように構成される第８の実行モジュール、及び／又は、
前記デバイス発見情報に前記他のユーザ機器のアプリ関連情報を含む場合、前記他のユーザ機器のアプリ関連情報に示されたアプリが、前記実行ユニットがあるユーザ機器が関心を持つアプリであるか否かを判断し、そうであると、予め設定された該関心を持つアプリに対応する情報を提示するように構成される第９の実行モジュールと、を含む請求項１９に記載のユーザ機器。
【請求項２４】
ユーザ機器識別情報及び／又はユーザ機器の属性情報を含むデバイス発見情報を送信するように構成される送信ユニットを備えるユーザ機器。
【請求項２５】
前記送信ユニットがさらに、同期信号及び／又は放送チャネルに前記デバイス発見情報を乗せて送信するように構成される請求項２４に記載のユーザ機器。
【請求項２６】
前記ユーザ機器の属性情報が、属性更新計数値、ユーザ機器能力情報、ユーザ機器タイプ情報、ユーザ機器グループ情報、ユーザ機器状態情報、ユーザ機器カバレッジ情報、及びアプリ関連情報の中の少なくとも一つを含み、
好ましくは、前記属性更新計数値が、ユーザ機器能力情報、ユーザ機器タイプ情報、ユーザ機器グループ情報、ユーザ機器状態情報、ユーザ機器カバレッジ情報、及びアプリ関連情報の中の少なくとも一つのユーザ機器の属性情報の更新状況を示し、及び／又は、
前記ユーザ機器能力情報が、前記ユーザ機器の現在残りの電力の電力レベルを示すユーザ機器電力レベル、ユーザ機器が他の直通ユーザ機器の制御シグナル及び／又はサービスデータを転送することができるか否かを示すユーザ機器の中継能力の有無、ユーザ機器が他の直通ユーザ機器とデバイス直通通信を行うことが可能であるか否かを示すユーザ機器のデバイス直通通信能力の有無、及びユーザ機器のデバイス直通における能力の集合を示すユーザ機器直通能力プロフィールの中の少なくとも一つを含み、及び／又は、
前記ユーザ機器タイプ情報が、ユーザ機器優先級とユーザ機器種別の中の少なくとも一つを含み、及び／又は、
前記ユーザ機器グループ情報が、デバイス直通ユーザ機器が属するデバイス直通グループの識別子を含み、及び／又は、
前記ユーザ機器状態情報が、接続状態及び／又は空き状態を含むユーザ機器の状態を示し、及び／又は、
前記ユーザ機器カバレッジ情報が、基地局によるユーザ機器へのカバーの有無、ユーザ機器のサービング基地局、及びユーザ機器の発見領域の中の少なくとも一つを示し、及び／又は、
前記アプリ関連情報がデバイス直通アプリに関連する属性情報を含む請求項２４に記載のユーザ機器。
【国際調査報告】
2016521483.tif 000014
2016521483.tif 000015
2016521483.tif 000016
2016521483.tif 000017